(57)【特許請求の範囲】
【請求項１】
予めケーブルを含む回線・設備情報がデータ化された設備系データを格納したデータベースと、
この回線・設備情報と関連付けられた系統図を図面系データとして更新可能に格納した記憶手段と、
これらデータベースと記憶手段とに格納されたデータに基づいて画面上に回線・設備情報と系統図とのうち少なくともいずれか一方を表示する表示装置と、
表示装置の画面上に、記憶手段から所望の系統図または回線・設備情報を呼び出して表示させ、表示された系統図を書き換え可能な入力装置とを備えるとともに、
入力装置からの指令に基づき、メインメモリに格納された制御プログラムによりデータベースと記憶手段とにそれぞれ格納され互いに関連付けられた設備系データと図面系データとをリンクさせ、リンクされた系統図または回線・設備情報のうち少なくともいずれか一方を表示装置の画面に表示させる連携手段と、入力装置による系統図の書き換え時、書き換えられた系統図に基づいてこの図面系データと設備系データとの関連付けと関連付けの解除とを行う更新手段とを有し、書き換えによりこの系統図にリンクされ新たに関連付けされた設備系データと、書き換えによりこの系統図との関連付けが解除された設備系データと、書き換えられた系統図の図面系データとを記憶手段に記憶させる中央演算処理装置とを備え、表示装置に表示された系統図をユーザインターフェースとして用いるとともに、
更新手段は、入力装置による系統図の書き換え時、書き換えられた系統図に基づいて、系統図に新たに加入された図面系データと設備系データとに予め決められたキーコード体系に基づき互いに関連付けられたキーコードを付与するとともに、書き換え前の系統図から削除された図面系データとこの図面系データとリンクされ関連付けられた設備系データとに付与されていたキーコードを消去し、
連携手段は、表示装置の画面上で入力装置により回線・設備情報が呼び出されると、呼び出された回線・設備情報の設備系データに付与されているキーコードを図面系データに付与されているキーコードと比較対照し、その設備系データに対応する図面系データとリンクさせ、入力装置により系統図が呼び出されると、呼び出された系統図の図面系データに付与されているキーコードを設備系データに付与されているキーコードと比較対照し、その図面系データに対応する設備系データとリンクさせ、これらそれぞれ互いにリンクされた設備系データの回線・設備情報または図面系データの系統図を表示装置の画面上に関連付けて表示可能にしたことを特徴とするケーブルの管理システム。
【請求項２】
表示装置の画面上に表示された系統図に対し、入力装置により系統図上に表示された所望のケーブルに相当する線分または設備設置場所に相当する記号を選択すると、付与されたキーコードに基づいて選択された当該ケーブルまたは設備設置場所の回線・設備情報を同一画面上に表示するようにしたことを特徴とする請求項１に記載のケーブルの管理システム。
【請求項３】
記憶手段に図面系データと設備系データとをリンクさせて格納する際、図面系データと設備系データとに所望のプランに応じて有効期間を決定する日付情報を付与して格納し、入力装置により所望の年月日を入力可能とするとともに、連携手段は図面系データと設備系データとを年月日とリンクさせることを特徴とする請求項１または２に記載のケーブルの管理システム。
【請求項４】
キーコード体系は、ケーブルの接続関係と属性とに基づいて体系的にキーコードが付与されたケーブルのキーコード体系と、メカニカルクロージャの接続関係と属性とに基づいて体系的にキーコードが付与されたメカニカルクロージャのキーコード体系とを有して構成されることを特徴とする請求項１ないし３のうちいずれか１に記載のケーブルの管理システム。
【請求項５】
設備系データには、少なくともケーブルの詳細情報を含むケーブルマスタデータと、１心線毎の使用情報を含む心線マスタデータと、ケーブル間の接続関係の情報を含むケーブル接続データと、ケーブル内の１心線毎の接続関係の情報を含む心線接続データと、メカニカルクロージャの詳細情報を含むメカニカルクロージャマスタデータとが含まれることを特徴とする請求項１ないし４のうちいずれか１に記載のケーブルの管理システム。
【請求項６】
ケーブルのキーコード体系は、自端箇所キーコードと相手端箇所キーコードと装置機種キーコードと通し番号とが含まれるとともに、メカニカルクロージャのキーコード体系は、自端箇所キーコードと装置機種キーコードと通し番号とが含まれることを特徴とする請求項４または５に記載のケーブルの管理システム。
【請求項７】
図面系データは、予め決められた２軸の座標系に基づいて表示装置の画面に描画される系統図からなり、この系統図は、設備設置場所を所定の記号で設備設置場所に応じた座標情報に基づいて描画する図面位置情報と、設備設置場所間の回線を図面中の線分として上記図面位置情報の座標情報に基づいて描画する図面線分情報とにより構成されることを特徴とする請求項１ないし６のうちいずれか１に記載のケーブルの管理システム。
【請求項８】
図面系データは、表示装置の画面に単線結線図として描画される単線結線図情報を含むことを特徴とする請求項７に記載のケーブルの管理システム。
【請求項９】
表示装置の画面上に表示された系統図面に対し、入力装置により所望の割入れプランに応じてケーブルと割り入れ箇所のメカニカルクロージャとを選択すると、キーコード体系により新たに付与されたキーコードに基づき新規のケーブルを画面上に表示して元のケーブルを消去し、元のケーブルの回線・設備情報を新規のケーブルの回線・設備情報に移し替える割入れ手段を有することを特徴とする請求項１ないし８のうちいずれか１に記載のケーブルの管理システム。
【請求項１０】
表示装置の画面には、ケーブル諸元の科目の種別によってケーブルの色を指定して表示する科目別表示と、各種ケーブルのそれぞれの心線数によってケーブルの色を指定して表示する心線数別表示と、ケーブルの使用開始年月日の年度によってケーブルの色を指定して表示する年度別表示と、ケーブルの使用開始年月日の年度について所望の期間ごとにケーブルの色を指定して表示する年度の期間別表示と、共有心線数取得時に表示され、選択された項目の心線を含むケーブルごとに色を指定して表示する共有別表示と、ケーブル諸元の系統名称別によりケーブルの色を指定して表示する系統名称別表示と、すべてのケーブルの色を単色に指定して表示する標準表示と、亘長・心線数表示時に表示され、表示文字の色を指定して表示する亘長・心線数文字色表示との各表示のうち、所望の表示を選択可能にしたことを特徴とする請求項５ないし９のうちいずれか１に記載のケーブルの管理システム。
【請求項１１】
予めケーブルを含む回線・設備情報がデータ化された設備系データを格納したデータベースと、
この回線・設備情報と関連付けられた系統図を図面系データとして更新可能に格納した記憶手段と、
これらデータベースと記憶手段とに格納されたデータに基づいて画面上に回線・設備情報と系統図とのうち少なくともいずれか一方を表示する表示装置と、
表示装置の画面上に、記憶手段から所望の系統図または回線・設備情報を呼び出して表示させ、表示された系統図を書き換え可能な入力装置とを備えるとともに、
入力装置からの指令に基づき、メインメモリに格納された制御プログラムによりデータベースと記憶手段とにそれぞれ格納され互いに関連付けられた設備系データと図面系データとをリンクさせ、リンクされた系統図または回線・設備情報のうち少なくともいずれか一方を表示装置の画面に表示させる連携手段と、入力装置による系統図の書き換え時、書き換えられた系統図に基づいてこの系統図と回線・設備情報との関連付けと関連付けの解除とを行う更新手段とを有し、書き換えによりこの系統図にリンクされ新たに関連付けされた設備系データと、書き換えによりこの系統図との関連付けが解除された設備系データと、書き換えられた系統図の図面系データとを記憶手段に記憶させる中央演算処理装置とを備え、
系統図の照会時、表示装置に系統図を関連する回線・設備情報とリンクさせて表示させ、
系統図の書き換え時、互いに関連性のない図面系データと設備系データとを互いに関連付けし、互いに関連付けられていた図面データと設備系データとの関連を書き換えられた系統図に基づいて解除させ、互いに関連付けされた図面系データと設備系データとをリンクさせ、リンクされた系統図または回線・設備情報のうち少なくともいずれか一方を表示装置の画面に表示させた後、互いに関連付けされた図面系データと設備系データと、関連付けが解除された図面系データと設備系データとを記憶手段に記憶させ、表示装置に表示された系統図をユーザインターフェースとして用いるとともに、
更新手段により、入力装置による系統図の書き換え時、書き換えられた系統図に基づいて、系統図に新たに加入された図面系データと設備系データとに予め決められたキーコード体系に基づき互いに関連付けられたキーコードを付与するとともに、書き換え前の系統図から削除された図面系データとこの図面系データとリンクされ関連付けられていた設備系データとに付与されていたキーコードを消去し、
連携手段により、表示装置の画面上で入力装置により回線・設備情報が呼び出されると、呼び出された回線・設備情報の設備系データに付与されているキーコードを図面系データに付与されているキーコードと比較対照し、その設備系データに対応する図面系データとリンクさせ、入力装置により系統図が呼び出されると、呼び出された系統図の図面系データに付与されているキーコードを設備系データに付与されているキーコードと比較対照し、その図面系データに対応する設備系データとリンクさせ、これらそれぞれ互いにリンクされた設備系データの回線・設備情報または図面系データの系統図を表示装置の画面上に関連付けて表示可能にし、
系統図の照会時、連携手段により系統図の図面系データに付与されているキーコードを設備系データに付与されているキーコードと比較対照し、その図面系データに対応する設備系データとリンクさせて表示装置の画面に系統図を表示し、
系統図の書き換え時、系統図に新たに加入され互いにキーコードの付与されていない図面系データと設備系データとにキーコード体系に基づいて互いに関連するキーコードを付与し、書き換え前の系統図から削除され互いに関連するキーコードが付与されていた図面データと設備系データとからそれぞれのキーコードを消去し、互いに関連するキーコードが付与された図面系データと設備系データとをリンクさせ、リンクされた系統図または回線・設備情報のうち少なくともいずれか一方を表示装置の画面に表示させ、
表示後、互いに関連する図面系データと設備系データとを付与されたキーコードとともに記憶装置に記憶させ、関連付けが解除された図面系データと設備系データとを付与されていたキーコードを削除して記憶手段に記憶させることを特徴とするケーブルの管理方法。
【請求項１２】
系統図の照会時、表示された系統図に対し、入力装置により系統図上に表示された所望のケーブルまたは設備設置場所を選択すると、付与されたキーコードに基づいて選択された当該ケーブルまたは設備設置場所の回線・設備情報を同一画面上に表示するようにしたことを特徴とする請求項１１に記載のケーブルの管理方法。
【請求項１３】
記憶手段に図面系データと設備系データとをリンクさせて格納する際、図面系データと設備系データとに所望のプランに応じて有効期間を決定する日付情報を付与して格納し、入力装置により所望の年月日を入力した際、連携手段により図面系データと設備系データとを年月日とリンクさせ、所望の年月日に応じた系統図を表示させることを特徴とする請求項１１または１２に記載のケーブルの管理システム。
【請求項１４】
図面系データには、表示装置の画面にそれぞれ系統図として描画される系統図データと、単線結線図として描画される単線結線図データとが収容され、系統図または単線結線図のうちいずれか一方が表示装置の画面上に表示された際、表示された図上の所望のケーブルまたは設備設置場所を入力装置により選択すると、選択されたケーブルまたは設備設置場所に対応する他方の図を同一画面上に表示可能にすることを特徴とする請求項１１ないし１３のうちいずれか１に記載のケーブルの管理方法。
【請求項１５】
表示装置の画面上に表示されケーブルが表示された系統図に対し割入れを行う際、割入れ手段により入力装置により所望の割入れプランに応じてケーブルと割り入れ箇所のメカニカルクロージャとを選択すると、新たに付与されたキーコードに基づき新規のケーブルを画面上に表示して元のケーブルを消去し、元のケーブルの回線・設備情報を新規のケーブルの回線・設備情報に移し替えることを特徴とする請求項１１ないし１４のうちいずれか１に記載のケーブルの管理方法。
【発明の詳細な説明】
【０００１】
【発明の属する技術分野】
本発明は、ケーブルの管理システムおよびその管理方法に関し、特に、図面によるケーブルの管理システムおよびその管理方法に関するものである。
【０００２】
【従来の技術】
一般に、ケーブルの管理システムにおいては、紙面に図面の形で描かれた多数の管理図面が綴られた冊子あるいは書類から該当する管理図面を探し出し、予めデータベースに蓄積されているケーブルや設備設置場所の各データを参照して、該当する管理図面に更新するデータを書き込み、管理図面を作成するようにしている。そして、例えば、所望の区間におけるケーブルの空き回線の候補を探し出す場合には、冊子あるいは書類の形で管理されている各事業所の局内の情報が記載された局内設備構成図面や回線収容内訳等のデータを机の上に引っぱり出し、これら紙面に記載された図面やデータに基づいて照会を繰り返しながら行うようにしている。
【０００３】
従来のケーブルの管理は、上述の如く行われていたので、回線構成の作業に時間がかかるという問題がある。また、回線構成する際には、どの中継局にどのような回線内訳があるかおおよその見当をつけることができなければ、作業の効率が悪く、勢い作業者の経験と勘に頼らざるを得ないという問題がある。このような問題を解決するため、従来、ＣＡＤにより作成された図面に基づいてケーブルの管理を行う方法が提案されている。
【０００４】
【発明が解決しようとする課題】
しかしながら、従来のＣＡＤによるケーブルの管理システムにおいても、図面データとデータベースに格納された回線・設備情報の設備系データとはそれぞれ別々に管理されるので、ＣＡＤにより画面に呼び出した管理図面（系統図や単線結線図等の回線構成図）に対し、対応するケーブルや設備設置場所の回線・設備情報を呼び出して照会しながら所望のプランに基づいて管理図面を書き換えるようにしている。このため、管理図面の書き換え作業に時間がかかるという問題がある。また、照会は人力により行うため、ヒューマンエラーによる不確実性が避けられず、作業効率の上から問題がある。
【０００５】
本発明は、上記課題を解決するためになされたもので、簡素な構成でしかも迅速かつ容易に回線を構成したり管理したりすることができるケーブルの管理システムとその管理方法を提供することを目的とするものである。
【０００６】
【課題を解決するための手段】
本発明に係るケーブルの管理システムは、予めケーブルを含む回線・設備情報がデータ化された設備系データを格納したデータベースと、この回線・設備情報と関連付けられた系統図を図面系データとして更新可能に格納した記憶手段と、これらデータベースと記憶手段とに格納されたデータに基づいて画面上に回線・設備情報と系統図とのうち少なくともいずれか一方を表示する表示装置と、表示装置の画面上に、記憶手段から所望の系統図または回線・設備情報を呼び出して表示させ、表示された系統図を書き換え可能な入力装置とを備えるとともに、入力装置からの指令に基づき、メインメモリに格納された制御プログラムによりデータベースと記憶手段とにそれぞれ格納され互いに関連付けられた設備系データと図面系データとをリンクさせ、リンクされた系統図または回線・設備情報のうち少なくともいずれか一方を表示装置の画面に表示させる連携手段と、入力装置による系統図の書き換え時、書き換えられた系統図に基づいてこの図面系データと設備系データとの関連付けと関連付けの解除とを行う更新手段とを有し、書き換えによりこの系統図にリンクされ新たに関連付けされた設備系データと、書き換えによりこの系統図との関連付けが解除された設備系データと、書き換えられた系統図の図面系データとを記憶手段に記憶させる中央演算処理装置とを備え、表示装置に表示された系統図をユーザインターフェースとして用いるとともに、更新手段は、入力装置による系統図の書き換え時、書き換えられた系統図に基づいて、系統図に新たに加入された図面系データと設備系データとに予め決められたキーコード体系に基づき互いに関連付けられたキーコードを付与するとともに、書き換え前の系統図から削除された図面系データとこの図面系データとリンクされ関連付けられた設備系データとに付与されていたキーコードを消去し、連携手段は、表示装置の画面上で入力装置により回線・設備情報が呼び出されると、呼び出された回線・設備情報の設備系データに付与されているキーコードを図面系データに付与されているキーコードと比較対照し、その設備系データに対応する図面系データとリンクさせ、入力装置により系統図が呼び出されると、呼び出された系統図の図面系データに付与されているキーコードを設備系データに付与されているキーコードと比較対照し、その図面系データに対応する設備系データとリンクさせ、これらそれぞれ互いにリンクされた設備系データの回線・設備情報または図面系データの系統図を表示装置の画面上に関連付けて表示可能にしたものである。
【０００７】
本発明に係るケーブルの管理システムでは、予めケーブルを含む回線・設備情報がデータ化された設備系データを格納したデータベースと、この回線・設備情報と関連付けられた系統図を図面系データとして更新可能に格納した記憶手段と、これらデータベースと記憶手段とに格納されたデータに基づいて画面上に回線・設備情報と系統図とのうち少なくともいずれか一方を表示する表示装置と、表示装置の画面上に、記憶手段から所望の系統図または回線・設備情報を呼び出して表示させ、表示された系統図を書き換え可能な入力装置とを備えるとともに、入力装置からの指令に基づき、メインメモリに格納された制御プログラムによりデータベースと記憶手段とにそれぞれ格納され互いに関連付けられた設備系データと図面系データとをリンクさせ、リンクされた系統図または回線・設備情報のうち少なくともいずれか一方を表示装置の画面に表示させる連携手段と、入力装置による系統図の書き換え時、書き換えられた系統図に基づいてこの図面系データと設備系データとの関連付けと関連付けの解除とを行う更新手段とを有し、書き換えによりこの系統図にリンクされ新たに関連付けされた設備系データと、書き換えによりこの系統図との関連付けが解除された設備系データと、書き換えられた系統図の図面系データとを記憶手段に記憶させる中央演算処理装置とを備え、表示装置に表示された系統図をユーザインターフェースとして用いるとともに、更新手段は、入力装置による系統図の書き換え時、書き換えられた系統図に基づいて、系統図に新たに加入された図面系データと設備系データとに予め決められたキーコード体系に基づき互いに関連付けられたキーコードを付与するとともに、書き換え前の系統図から削除された図面系データとこの図面系データとリンクされ関連付けられた設備系データとに付与されていたキーコードを消去し、連携手段は、表示装置の画面上で入力装置により回線・設備情報が呼び出されると、呼び出された回線・設備情報の設備系データに付与されているキーコードを図面系データに付与されているキーコードと比較対照し、その設備系データに対応する図面系データとリンクさせ、入力装置により系統図が呼び出されると、呼び出された系統図の図面系データに付与されているキーコードを設備系データに付与されているキーコードと比較対照し、その図面系データに対応する設備系データとリンクさせ、これらそれぞれ互いにリンクされた設備系データの回線・設備情報または図面系データの系統図を表示装置の画面上に関連付けて表示可能にしたことにより、設備系データと図面系データとがそれぞれ別々に管理されていても、系統図を書き換え設備の追加、変更及び削除を行う際、関連する回線・設備情報が画面に表示可能となる。このため照会作業が容易になる。また、書き換え作業は画面上に表示される回線・設備情報に基づいて行われる。このため書き換え作業が効率化される。さらに、表示された系統図は、図面系データの登録そのものが設備系データの登録となるので、誤った関連付けが発生することがなく、エラーの発生が抑制される。また、系統図と回線・設備情報とは常に関連付けされたもの同士がリンクされるので、画面に呼び出した回線・設備情報から関連する系統図を表示させることができる。このように画面に表示された系統図をユーザーインターフェースとして用いることができるので作図作業が容易になり、ケーブルの管理が効率化される。また、所定のキーコード体系に基づいて設備系データと図面系データとにキーコードを付与し、このキーコードに基づいて関連付けが行われるので、設備系データと図面系データとの関連付けを簡素な構成で行うことができ、リンク作業が簡素化され、迅速にリンクが行われる。このため処理速度の迅速化と作業の効率化が図られる。しかも、表示された系統図の書き換え時、書き換え前に付与されていたキーコードが消去され、書き換え後関連付けられることになる各データに新たなキーコードが自動的に付与されるので、系統図面は書き換えを繰り返しても、回線・設備情報と確実に関連付けされる。このため系統図を回線・設備情報とリンクさせて表示するのが迅速化され、照会作業や書き換え作業が効率化される。
【００１０】
請求項２に係るケーブルの管理システムは、表示装置の画面上に表示された系統図に対し、入力装置により系統図上に表示された所望のケーブルに相当する線分または設備設置場所に相当する記号を選択すると、付与されたキーコードに基づいて選択された当該ケーブルまたは設備設置場所の回線・設備情報を同一画面上に表示するようにしたものである。
【００１１】
請求項２に係るケーブルの管理システムでは、表示装置の画面上に表示された系統図に対し、入力装置により系統図上に表示された所望のケーブルに相当する線分または設備設置場所に相当する記号を選択すると、付与されたキーコードに基づいて選択された当該ケーブルまたは設備設置場所の回線・設備情報を同一画面上に表示するようにしたことにより、系統図の照会時または書き換え時、同一画面に系統図上の所望の設備の回線・設備情報が表示される。このため画面により設備系データの詳細を確認しながら作業することができるので、作業者の熟練度に関係なく、きめ細かくかつ正確にケーブルを管理することができる。
【００１２】
請求項３に係るケーブルの管理システムは、記憶手段に図面系データと設備系データとをリンクさせて格納する際、図面系データと設備系データとに所望のプランに応じて有効期間を決定する日付情報を付与して格納し、入力装置により所望の年月日を入力可能とするとともに、連携手段は図面系データと設備系データとを年月日とリンクさせるようにしたものである。
【００１３】
請求項３に係るケーブルの管理システムでは、記憶手段に図面系データと設備系データとをリンクさせて格納する際、図面系データと設備系データとに所望のプランに応じて有効期間を決定する日付情報を付与して格納し、入力装置により所望の年月日を入力可能とするとともに、連携手段は図面系データと設備系データとを年月日とリンクさせるようにしたことにより、入力装置により入力された年月日に基づいて、将来の所望の年月日または期間を指定して仮想の系統図を作成することができる。
【００１４】
請求項４に係るケーブルの管理システムは、キーコード体系は、ケーブルの接続関係と属性とに基づいて体系的にキーコードが付与されたケーブルのキーコード体系と、メカニカルクロージャの接続関係と属性とに基づいて体系的にキーコードが付与されたメカニカルクロージャのキーコード体系とを有して構成されるようにしたものである。
【００１５】
請求項４に係るケーブルの管理システムでは、キーコード体系は、ケーブルの接続関係と属性とに基づいて体系的にキーコードが付与されたケーブルのキーコード体系と、メカニカルクロージャの接続関係と属性とに基づいて体系的にキーコードが付与されたメカニカルクロージャのキーコード体系とを有して構成されるようにしたことにより、設備系の属性と接続関係に基づいたキーコード体系を構築することができるので、このキーコード体系では、論理上合理的な必要条件を満たす最小限のキーコードを付与するだけでよく、格納すべきデータの容量を少なくすることができる。
【００１６】
請求項５に係るケーブルの管理システムは、設備系データには、少なくともケーブルの詳細情報を含むケーブルマスタデータと、１心線毎の使用情報を含む心線マスタデータと、ケーブル間の接続関係の情報を含むケーブル接続データと、ケーブル内の１心線毎の接続関係の情報を含む心線接続データと、メカニカルクロージャの詳細情報を含むメカニカルクロージャマスタデータとが含まれるようにしたものである。
【００１７】
請求項５に係るケーブルの管理システムでは、設備系データには、少なくともケーブルの詳細情報を含むケーブルマスタデータと、１心線毎の使用情報を含む心線マスタデータと、ケーブル間の接続関係の情報を含むケーブル接続データと、ケーブル内の１心線毎の接続関係の情報を含む心線接続データと、メカニカルクロージャの詳細情報を含むメカニカルクロージャマスタデータとが含まれるようにしたことにより、表示された系統図は多種の詳細な情報とリンクされることになり、きめ細かい管理が可能となる。
【００１８】
請求項６に係るケーブルの管理システムは、ケーブルのキーコード体系は、自端箇所キーコードと相手端箇所キーコードと装置機種キーコードと通し番号とが含まれるとともに、メカニカルクロージャのキーコード体系は、自端箇所キーコードと装置機種キーコードと通し番号とが含まれるようにしたものである。
【００１９】
請求項６に係るケーブルの管理システムでは、ケーブルのキーコード体系は、自端箇所キーコードと相手端箇所キーコードと装置機種キーコードと通し番号とが含まれるとともに、メカニカルクロージャのキーコード体系は、自端箇所キーコードと装置機種キーコードと通し番号とが含まれるようにしたことにより、ケーブルとメカニカルクロージャとの接続関係と機種とＩＤコードとしての通し番号とによりキーコードが構成されるので、回線、設備および装置の把握が容易になる。
【００２０】
請求項７に係るケーブルの管理システムは、図面系データは、予め決められた２軸の座標系に基づいて表示装置の画面に描画される系統図からなり、この系統図は、設備設置場所を所定の記号で設備設置場所に応じた座標情報に基づいて描画する図面位置情報と、設備設置場所間の回線を図面中の線分として上記図面位置情報の座標情報に基づいて描画する図面線分情報とにより構成されるようにしたものである。
【００２１】
請求項７に係るケーブルの管理システムでは、図面系データは、予め決められた２軸の座標系に基づいて表示装置の画面に描画される系統図からなり、この系統図は、設備設置場所を所定の記号で設備設置場所に応じた座標情報に基づいて描画する図面位置情報と、設備設置場所間の回線を図面中の線分として上記図面位置情報の座標情報に基づいて描画する図面線分情報とにより構成されるようにしたことにより、系統図および系統図上の設備設置場所の位置の各情報を、グラフィックデータとしてではなく、座標を特定する数値データとして処理するようにしているので、格納すべきデータの容量を少なくすることができ、装置の小型化やシステムの簡素化が図られるとともに、処理速度が迅速化し作業効率が向上する。
【００２２】
請求項８に係るケーブルの管理システムは、図面系データは、表示装置の画面に単線結線図として描画される単線結線図情報を含むようにしたものである。
【００２３】
請求項８に係るケーブルの管理システムでは、図面系データは、表示装置の画面に単線結線図として描画される単線結線図情報を含むようにしたことにより、作業時、系統図が表示されている場合、その系統図中のケーブルまたは設備設置場所を選択すると、それに対応する単線結線図を同一画面上に表示することができ、単線結線図が表示されている場合、その単線結線図中のケーブルまたは設備設置場所を選択すると、それに対応する系統図を同一画面上に表示することができる。このため系統図を参照して単線結線図を作成したり、単線結線図から系統図を呼出し作業させることができるので、ユーザーインターフェースとしての使い勝手が向上し作業の効率化が図られる。
【００２４】
請求項９に係るケーブルの管理システムは、表示装置の画面上に表示された系統図面に対し、入力装置により所望の割入れプランに応じてケーブルと割り入れ箇所のメカニカルクロージャとを選択すると、キーコード体系により新たに付与されたキーコードに基づき新規のケーブルを画面上に表示して元のケーブルを消去し、元のケーブルの回線・設備情報を新規のケーブルの回線・設備情報に移し替える割入れ手段を有するようにしたものである。
【００２５】
請求項９に係るケーブルの管理システムでは、表示装置の画面上に表示された系統図面に対し、入力装置により所望の割入れプランに応じてケーブルと割り入れ箇所のメカニカルクロージャとを選択すると、キーコード体系により新たに付与されたキーコードに基づき新規のケーブルを画面上に表示して元のケーブルを消去し、元のケーブルの回線・設備情報を新規のケーブルの回線・設備情報に移し替える割入れ手段を有するようにしたことにより、割入れ時、系統図面上で、元のケーブルの回線・設備情報が新規のケーブルの回線・設備情報に自動的に移し替えられるので、割入れ作業を容易に行うことができる。
【００２６】
請求項１０に係るケーブルの管理システムは、表示装置の画面には、ケーブル諸元の科目の種別によってケーブルの色を指定して表示する科目別表示と、各種ケーブルのそれぞれの心線数によってケーブルの色を指定して表示する心線数別表示と、ケーブルの使用開始年月日の年度によってケーブルの色を指定して表示する年度別表示と、ケーブルの使用開始年月日の年度について所望の期間ごとにケーブルの色を指定して表示する年度の期間別表示と、共有心線数取得時に表示され、選択された項目の心線を含むケーブルごとに色を指定して表示する共有別表示と、ケーブル諸元の系統名称別によりケーブルの色を指定して表示する系統名称別表示と、すべてのケーブルの色を単色に指定して表示する標準表示と、亘長・心線数表示時に表示され、表示文字の色を指定して表示する亘長・心線数文字色表示との各表示のうち、所望の表示を選択可能にしたものである。
【００２７】
請求項１０に係るケーブルの管理システムでは、表示装置の画面には、ケーブル諸元の科目の種別によってケーブルの色を指定して表示する科目別表示と、各種ケーブルのそれぞれの心線数によってケーブルの色を指定して表示する心線数別表示と、ケーブルの使用開始年月日の年度によってケーブルの色を指定して表示する年度別表示と、ケーブルの使用開始年月日の年度について所望の期間ごとにケーブルの色を指定して表示する年度の期間別表示と、共有心線数取得時に表示され、選択された項目の心線を含むケーブルごとに色を指定して表示する共有別表示と、ケーブル諸元の系統名称別によりケーブルの色を指定して表示する系統名称別表示と、すべてのケーブルの色を単色に指定して表示する標準表示と、亘長・心線数表示時に表示され、表示文字の色を指定して表示する亘長・心線数文字色表示との各表示のうち、所望の表示を選択可能にしたことにより、作業時、表示装置の画面には、ケーブルの科目別、心線数別、年度別、年度の期間別、共有別、系統名称別および亘長・心線数文字色の表示についてそれぞれ異なる色を指定して表示することができるとともに、標準表示では、すべてのケーブルの色を単色に指定して表示することができるので、作業しやすくなる。
【００２８】
本発明に係るケーブルの管理方法は、予めケーブルを含む回線・設備情報がデータ化された設備系データを格納したデータベースと、この回線・設備情報と関連付けられた系統図を図面系データとして更新可能に格納した記憶手段と、これらデータベースと記憶手段とに格納されたデータに基づいて画面上に回線・設備情報と系統図とのうち少なくともいずれか一方を表示する表示装置と、表示装置の画面上に、記憶手段から所望の系統図または回線・設備情報を呼び出して表示させ、表示された系統図を書き換え可能な入力装置とを備えるとともに、入力装置からの指令に基づき、メインメモリに格納された制御プログラムによりデータベースと記憶手段とにそれぞれ格納され互いに関連付けられた設備系データと図面系データとをリンクさせ、リンクされた系統図または回線・設備情報のうち少なくともいずれか一方を表示装置の画面に表示させる連携手段と、入力装置による系統図の書き換え時、書き換えられた系統図に基づいてこの系統図と回線・設備情報との関連付けと関連付けの解除とを行う更新手段とを有し、書き換えによりこの系統図にリンクされ新たに関連付けされた設備系データと、書き換えによりこの系統図との関連付けが解除された設備系データと、書き換えられた系統図の図面系データとを記憶手段に記憶させる中央演算処理装置とを備え、系統図の照会時、表示装置に系統図を関連する回線・設備情報とリンクさせて表示させ、系統図の書き換え時、互いに関連性のない図面系データと設備系データとを互いに関連付けし、互いに関連付けられていた図面データと設備系データとの関連を書き換えられた系統図に基づいて解除させ、互いに関連付けされた図面系データと設備系データとをリンクさせ、リンクされた系統図または回線・設備情報のうち少なくともいずれか一方を表示装置の画面に表示させた後、互いに関連付けされた図面系データと設備系データと、関連付けが解除された図面系データと設備系データとを記憶手段に記憶させ、表示装置に表示された系統図をユーザインターフェースとして用いるとともに、更新手段により、入力装置による系統図の書き換え時、書き換えられた系統図に基づいて、系統図に新たに加入された図面系データと設備系データとに予め決められたキーコード体系に基づき互いに関連付けられたキーコードを付与するとともに、書き換え前の系統図から削除された図面系データとこの図面系データとリンクされ関連付けられていた設備系データとに付与されていたキーコードを消去し、連携手段により、表示装置の画面上で入力装置により回線・設備情報が呼び出されると、呼び出された回線・設備情報の設備系データに付与されているキーコードを図面系データに付与されているキーコードと比較対照し、その設備系データに対応する図面系データとリンクさせ、入力装置により系統図が呼び出されると、呼び出された系統図の図面系データに付与されているキーコードを設備系データに付与されているキーコードと比較対照し、その図面系データに対応する設備系データとリンクさせ、これらそれぞれ互いにリンクされた設備系データの回線・設備情報または図面系データの系統図を表示装置の画面上に関連付けて表示可能にし、系統図の照会時、連携手段により系統図の図面系データに付与されているキーコードを設備系データに付与されているキーコードと比較対照し、その図面系データに対応する設備系データとリンクさせて表示装置の画面に系統図を表示し、系統図の書き換え時、系統図に新たに加入され互いにキーコードの付与されていない図面系データと設備系データとにキーコード体系に基づいて互いに関連するキーコードを付与し、書き換え前の系統図から削除され互いに関連するキーコードが付与されていた図面データと設備系データとからそれぞれのキーコードを消去し、互いに関連するキーコードが付与された図面系データと設備系データとをリンクさせ、リンクされた系統図または回線・設備情報のうち少なくともいずれか一方を表示装置の画面に表示させ、表示後、互いに関連する図面系データと設備系データとを付与されたキーコードとともに記憶装置に記憶させ、関連付けが解除された図面系データと設備系データとを付与されていたキーコードを削除して記憶手段に記憶させるようにしたものである。
【００２９】
本発明に係るケーブルの管理方法では、予めケーブルを含む回線・設備情報がデータ化された設備系データを格納したデータベースと、この回線・設備情報と関連付けられた系統図を図面系データとして更新可能に格納した記憶手段と、これらデータベースと記憶手段とに格納されたデータに基づいて画面上に回線・設備情報と系統図とのうち少なくともいずれか一方を表示する表示装置と、表示装置の画面上に、記憶手段から所望の系統図または回線・設備情報を呼び出して表示させ、表示された系統図を書き換え可能な入力装置とを備えるとともに、入力装置からの指令に基づき、メインメモリに格納された制御プログラムによりデータベースと記憶手段とにそれぞれ格納され互いに関連付けられた設備系データと図面系データとをリンクさせ、リンクされた系統図または回線・設備情報のうち少なくともいずれか一方を表示装置の画面に表示させる連携手段と、入力装置による系統図の書き換え時、書き換えられた系統図に基づいてこの系統図と回線・設備情報との関連付けと関連付けの解除とを行う更新手段とを有し、書き換えによりこの系統図にリンクされ新たに関連付けされた設備系データと、書き換えによりこの系統図との関連付けが解除された設備系データと、書き換えられた系統図の図面系データとを記憶手段に記憶させる中央演算処理装置とを備え、系統図の照会時、表示装置に系統図を関連する回線・設備情報とリンクさせて表示させ、系統図の書き換え時、互いに関連性のない図面系データと設備系データとを互いに関連付けし、互いに関連付けられていた図面データと設備系データとの関連を書き換えられた系統図に基づいて解除させ、互いに関連付けされた図面系データと設備系データとをリンクさせ、リンクされた系統図または回線・設備情報のうち少なくともいずれか一方を表示装置の画面に表示させた後、互いに関連付けされた図面系データと設備系データと、関連付けが解除された図面系データと設備系データとを記憶手段に記憶させ、表示装置に表示された系統図をユーザインターフェースとして用いるとともに、更新手段により、入力装置による系統図の書き換え時、書き換えられた系統図に基づいて、系統図に新たに加入された図面系データと設備系データとに予め決められたキーコード体系に基づき互いに関連付けられたキーコードを付与するとともに、書き換え前の系統図から削除された図面系データとこの図面系データとリンクされ関連付けられていた設備系データとに付与されていたキーコードを消去し、連携手段により、表示装置の画面上で入力装置により回線・設備情報が呼び出されると、呼び出された回線・設備情報の設備系データに付与されているキーコードを図面系データに付与されているキーコードと比較対照し、その設備系データに対応する図面系データとリンクさせ、入力装置により系統図が呼び出されると、呼び出された系統図の図面系データに付与されているキーコードを設備系データに付与されているキーコードと比較対照し、その図面系データに対応する設備系データとリンクさせ、これらそれぞれ互いにリンクされた設備系データの回線・設備情報または図面系データの系統図を表示装置の画面上に関連付けて表示可能にし、系統図の照会時、連携手段により系統図の図面系データに付与されているキーコードを設備系データに付与されているキーコードと比較対照し、その図面系データに対応する設備系データとリンクさせて表示装置の画面に系統図を表示し、系統図の書き換え時、系統図に新たに加入され互いにキーコードの付与されていない図面系データと設備系データとにキーコード体系に基づいて互いに関連するキーコードを付与し、書き換え前の系統図から削除され互いに関連するキーコードが付与されていた図面データと設備系データとからそれぞれのキーコードを消去し、互いに関連するキーコードが付与された図面系データと設備系データとをリンクさせ、リンクされた系統図または回線・設備情報のうち少なくともいずれか一方を表示装置の画面に表示させ、表示後、互いに関連する図面系データと設備系データとを付与されたキーコードとともに記憶装置に記憶させ、関連付けが解除された図面系データと設備系データとを付与されていたキーコードを削除して記憶手段に記憶させるようにしたことにより、設備系データと図面系データとがそれぞれ別々に管理されていても、系統図を照会する際、系統図を表示すると関連する回線・設備情報が画面に表示可能となる。このため照会作業が容易になる。また、系統図を書き換え設備の追加、変更及び削除を行う際、関連する回線・設備情報を画面に表示させ、表示された回線・設備情報に基づいてて作業を行うことができる。このため書き換え作業が効率化される。さらに、表示された系統図は図面系データの登録そのものが設備系データの登録となるので、誤った関連づけが発生することがなく、エラーの発生が抑制される。また、系統図と回線・設備情報とは常に関連付けされたもの同士がリンクされるので、画面に呼び出した回線・設備情報から関連する系統図を表示させることができる。このように画面に表示された系統図をユーザーインターフェースとして用いることができるので作図作業が容易になり、ケーブルの管理が効率化される。また、系統図の照会時、キーコード体系に基づいて予め付与されたキーコードに基づいて関連付けが行われるので、設備系データと図面系データとの関連付けが簡素になり、迅速にリンクが行われる。このため処理速度の迅速化と作業の効率化が図られる。また、系統図の書き換え時、書き換え前に付与されていたキーコードが消去され、書き換え後関連付けられることになる各データに新たなキーコードが自動的に付与されるので、系統図面は書き換えを繰り返しても、回線・設備情報と確実に関連付けされる。このため系統図を回線・設備情報とリンクさせて表示するのが迅速化され、照会作業や書き換え作業が効率化される。
【００３２】
請求項１２に係るケーブルの管理方法は、系統図の照会時、表示された系統図に対し、入力装置により系統図上に表示された所望のケーブルまたは設備設置場所を選択すると、付与されたキーコードに基づいて選択された当該ケーブルまたは設備設置場所の回線・設備情報を同一画面上に表示するようにしたものである。
【００３３】
請求項１２に係るケーブルの管理方法では、系統図の照会時、表示された系統図に対し、入力装置により系統図上に表示された所望のケーブルまたは設備設置場所を選択すると、付与されたキーコードに基づいて選択された当該ケーブルまたは設備設置場所の回線・設備情報を同一画面上に表示するようにしたことにより、系統図の照会時または書き換え時、同一画面に系統図上の所望の設備の回線・設備情報を表示させることができる。このため画面により設備系データの詳細を確認しながら作業することができるので、作業者の熟練度に関係なく、きめ細かくかつ正確にケーブルを管理することができる。
【００３４】
請求項１３に係るケーブルの管理方法は、記憶手段に図面系データと設備系データとをリンクさせて格納する際、図面系データと設備系データとに所望のプランに応じて有効期間を決定する日付情報を付与して格納し、入力装置により所望の年月日を入力した際、連携手段により図面系データと設備系データとを年月日とリンクさせ、所望の年月日に応じた系統図を表示させるようにしたものである。
【００３５】
請求項１３に係るケーブルの管理方法では、記憶手段に図面系データと設備系データとをリンクさせて格納する際、図面系データと設備系データとに所望のプランに応じて有効期間を決定する日付情報を付与して格納し、入力装置により所望の年月日を入力した際、連携手段により図面系データと設備系データとを年月日とリンクさせ、所望の年月日に応じた系統図を表示させるようにしたことにより、入力装置により将来の年月日を指定すると、その年月日に対応した回線構成図を表示させることができるので、仮想の回線構成図を作成することができる。
【００３６】
請求項１４に係るケーブルの管理方法は、図面系データには、表示装置の画面にそれぞれ系統図として描画される系統図データと、単線結線図として描画される単線結線図データとが収容され、系統図または単線結線図のうちいずれか一方が表示装置の画面上に表示された際、表示された図上の所望のケーブルまたは設備設置場所を入力装置により選択すると、選択されたケーブルまたは設備設置場所に対応する他方の図を同一画面上に表示可能にするようにしたものである。
【００３７】
請求項１４に係るケーブルの管理方法では、図面系データには、表示装置の画面にそれぞれ系統図として描画される系統図データと、単線結線図として描画される単線結線図データとが収容され、系統図または単線結線図のうちいずれか一方が表示装置の画面上に表示された際、表示された図上の所望のケーブルまたは設備設置場所を入力装置により選択すると、選択されたケーブルまたは設備設置場所に対応する他方の図を同一画面上に表示可能にするようにしたことにより、系統図が画面上に表示されている場合、この系統図中のケーブルまたは設備設置場所を選択すると、それに対応する単線結線図を同一画面上に表示することができ、単線結線図が画面上に表示されている場合、この単線結線図中のケーブルまたは設備設置場所を選択すると、それに対応する系統図を同一画面上に表示することができる。このため系統図を参照して単線結線図を作成したり、単線結線図から系統図を呼出し作業させることができるので、ユーザーインターフェースとしての使い勝手が向上し作業の効率化が図られる。
【００３８】
請求項１５に係るケーブルの管理方法は、表示装置の画面上に表示されケーブルが表示された系統図に対し割入れを行う際、割入れ手段により入力装置により所望の割入れプランに応じてケーブルと割り入れ箇所のメカニカルクロージャとを選択すると、新たに付与されたキーコードに基づき新規のケーブルを画面上に表示して元のケーブルを消去し、元のケーブルの回線・設備情報を新規のケーブルの回線・設備情報に移し替えるようにしたものである。
【００３９】
請求項１５に係るケーブルの管理方法では、表示装置の画面上に表示されケーブルが表示された系統図に対し割入れを行う際、割入れ手段により入力装置により所望の割入れプランに応じてケーブルと割り入れ箇所のメカニカルクロージャとを選択すると、新たに付与されたキーコードに基づき新規のケーブルを画面上に表示して元のケーブルを消去し、元のケーブルの回線・設備情報を新規のケーブルの回線・設備情報に移し替えるようにしたことにより、割入れ時、系統図面上で、元のケーブルの回線・設備情報が新規のケーブルの回線・設備情報に自動的に移し替えられるので、割入れ作業を容易に行うことができる。
【００４０】
【発明の実施の形態】
以下、図面に示す実施の形態により本発明を説明する。図１は本発明の第１の実施の形態に係るケーブルの管理システムのシステム構成図であり、図２および図３はそれぞれ該システムの概念説明図である。本実施の形態に係るケーブルの管理システムは、図１に示すように、キーボードやマウス等の入力装置３と、ＣＲＴ画面に表示するとともに必要に応じてプリンタによりプリントする表示装置４と、これらの入力装置３と表示装置４を制御して処理を実行するコンピュータ（中央演算処理装置）２と、このコンピュータ２と接続され回線データ等のデータベースを管理するデータベース管理システム５とを備えたコンピュータシステムにより構成される。コンピュータ２はＣＰＵ２Ａと、制御プログラムが書き込まれたメインメモリ２Ｂとを備えている。データベース管理システム５は、データベース６とサーバー（記憶手段）７とを備えている。
【００４１】
データベース管理システム５に格納されたデータベース管理ファイル５Ａには、図２に示すように、ケーブル、心線、ケーブル間の接続関係、一心線毎の接続関係、メカニカルクロージャ等の回線・設備についての情報が設備系データとして格納される。以下、設備系データは、データベース管理ファイル５Ａに格納され、所定のコードによりデータ化されたデータであって、ケーブル、心線、ケーブル間の接続関係、一心線毎の接続関係、メカニカルクロージャ等の回線・設備に関するデータのことをいう。また、回線・設備情報は、上記設備系データが表示装置４の画面上で内訳あるいは詳細情報として作業者に視覚上識別可能に表示された文字または数字による情報であって、ケーブル、心線、ケーブル間の接続関係、一心線毎の接続関係、メカニカルクロージャ等の回線・設備に関する情報のことをいう。
【００４２】
設備系データには、データベース管理ファイル５Ａのケーブルマスタデータファイル１０に格納され少なくともケーブルの詳細情報（心線数、ケーブル長、製造者、型式等）を含むケーブルマスタデータ（図５参照）と、心線マスタデータファイル１１に格納され１心線毎の使用情報（心線１本１本ごとの使用目的、使用状態、回線コード等）を含む心線マスタデータ（図６参照）と、ケーブル接続データファイル１２に格納されケーブル間の接続関係の情報（接続ケーブル、被接続ケーブル等）を含むケーブル接続データ（図７参照）と、心線接続データファイル１３に格納されケーブル内の１心線毎の接続関係の情報（接続心線、被接続心線、接続種別等）を含む心線接続データ（図８参照）と、メカニカルクロージャマスタデータファイル１４に格納されメカニカルクロージャの詳細情報（トレイ数、ケーブルの収容数、製造者、型式等）を含むメカニカルクロージャマスタデータ（図９参照）とが含まれる。
【００４３】
図面系データには、データベース管理ファイル５Ａの系統図ファイル２０に格納され、予め決められた２軸の平面座標系からなる系統図データと、この系統図ファイル２０の図面位置情報ファイル２１に格納され少なくとも予め決められた２軸の座標系からなる系統図上に設備設置場所の情報を所定の記号で設備設置場所に応じた座標情報に基づいて描画される図面位置データと、系統図ファイル２０の図面線分情報ファイル２２に格納され設備設置場所間の回線の情報を系統図中の線分として上記図面位置データの座標情報に基づいて描画される図面線分データとが含まれる。ここでいう設備設置場所（ノード）とは、通信回線のケーブルを中継する局や事業所をいい、設備設置場所には複数のメカニカルクロージャが設置されていることを前提としている。系統図におけるシンボルは、小円が設備設置場所を、線分がケーブルを示すものとする。
【００４４】
以下、図面系データは、データベース管理ファイル５Ａの系統図ファイル２０に格納され、所定のコードによりデータ化されたデータであって、予め決められた２軸の座標系からなる系統図上の位置と線分に関するデータのことをいう。また、図面位置情報および図面線分情報はそれぞれ、上記図面系データ（図面位置データ、図面線分データ）が表示装置４の画面上で系統図として作業者に視覚上識別可能に表示された図面、文字または数字による情報であって、回線・設備の図面における情報のことをいう。
【００４５】
これらデータや情報が格納された各ファイル１０〜１４、２１，２２は、入力装置３からの指令に基づき、ビューア機能により表示装置４に所定のデータが表示されるようになっている（図５ないし図９、図１３参照）。表示されるデータは内容により画像処理されて表示される。ビューア機能は、データベース管理ファイル５Ａに格納された図面系データの各ファイル２１、２２に基づいて、系統図と、系統図上に設備設置場所および設備設置場所間を結ぶ回線とを関連付けてグラフィカルに表示し、後述するように、系統図をユーザインターフェースとして用いることができるようになっている。例えば、表示装置４の画面に、図１３に示すように、系統図を幹線・加入者系統図やダイナミック系統図で表示したり、単線結線図（回線構成図）で表示したりすることができるようになっている。また、このビューア機能は、図５ないし図９に示すように、設備系データも表示装置４の画面に表示させることができるようになっている。本実施の形態に係るケーブルの管理システムは、図１３に示すように、このデータベース管理ファイル５Ａから、順次、所望のデータを読み出して表示装置４の画面に系統図やケーブルの内訳、メカニカルクロージャの内訳を表示し、編集し、更新し、コンピュータに対するコマンド入力を行うようにしている。
【００４６】
データベース管理ファイル５Ａに格納された設備系データ側ファイル１０〜１４の設備系データには、図１０に示すように、予め所定のキーコード体系に基づいてキーコード（自端箇所キーコード（自端設備設置場所キーコード）、相手端箇所キーコード（相手端設備設置場所キーコード）、装置機種コードおよび通し番号（設備設置場所における通し番号または隣接する２つの設備設置場所間に配置された設備における通し番号））が付与される。ここでいう通し番号はＩＤ番号に相当するもので、どの装置か特定できる番号を有していればよい。キーコード体系は、ケーブルの接続関係（自端設備設置場所と相手端設備設置場所）と属性（光ケーブルかメタルケーブルか）とに基づいて体系的にキーコードが付与されたケーブルのキーコード体系と、メカニカルクロージャの接続関係（自端設備設置場所）と属性（光ケーブルかメタルケーブルか）とに基づいて体系的にキーコードが付与されたメカニカルクロージャのキーコード体系とにより構成される。自端設備設置場所（自端箇所）および相手端設備設置場所（相手端箇所）とは、設備設置場所のことであり、１つの設備設置場所は２軸からなる系統図上で１点の座標情報（Ｘ，Ｙ）を持つものである。自端とは接続をする側、相手端とは接続される側（被接続側）のことである。
【００４７】
ところで、コンピュータ２のメインメモリ２Ｂに格納された制御プログラムは、入力装置３からの指令に基づき、データベース６とサーバー７とにそれぞれ格納され互いに関連付けられた設備系データ１０−１４と図面系データ２１、２２とをリンクさせ、リンクされた系統図または回線・設備情報のうち少なくともいずれか一方を表示装置４の画面に表示させる連携プログラム（連携手段）３１と、入力装置３による系統図の書き換え時、書き換えられた系統図に基づいてこの系統図と回線・設備情報との関連付けを更新するキーコード更新プログラム（キーコード更新手段）３２とを有している（図１３参照）。そして、このケーブルの管理システムでは、書き換えられた系統図を、この系統図にリンクされ新たに関連付けされた回線・設備情報とともにサーバー７に記憶させるようになっている。
【００４８】
すなわち、本実施の形態に係るケーブルの管理システムでは、図３に示すように、表示装置４に表示された系統図をユーザインターフェースとして用い、系統図を書き換えることにより各種のマスターデータ１０−１４や関連するデータ２１，２２を更新するようにしたものである。係る構成とすることにより、ケーブルの管理を容易かつ迅速にしかも正確に行うことができ、将来の回線設計も可能となる。以下、（Ｉ）設備系データに付与されるキーコード体系と付与されるキーコードについて、（ＩＩ）設備系データと図面系データとの関連付けについて、（ＩＩＩ）関連付けられた各データのリンクと更新について順に説明する。
【００４９】
（Ｉ）まず、設備系データに付与されるキーコード体系について説明する。初めに、系統図上の設備設置場所には、予め設備設置場所のキーコードが、例えば図４に示すように、４桁のアルファベットのキーコードが付与される。設備系データに付与されるキーコード体系はケーブルのキーコード体系およびメカニカルクロージャのキーコード体系からなる。ケーブルのキーコード体系は、設備設置場所の接続側キーコードと設備設置場所の被接続側キーコードと機種キーコードと通し番号とに基づいて設定される。メカニカルクロージャのキーコード体系は、設備設置場所のキーコードと機種キーコードと通し番号とに基づいて設定される。以下、キーコード体系とそれに基づいたキーコードの付与について詳細に述べる。
【００５０】
設備設置場所には、例えば、図４または図１４に示すように、予め設備設置場所のキーコードが付与される。例えば、設備設置場所Ａなら「ＡＡＡＡ」、設備設置場所Ｂなら「ＢＢＢＢ」のような４桁のアルファベットのキーコードが付与される。設備系データに付与されるキーコード体系は、図１０および図１２に示すように、４桁の自端箇所キーコード（自端設備設置場所キーコード）、４桁の相手端箇所キーコード（相手端設備設置場所キーコード）、４桁の装置機種コードおよび３桁の通し番号（設備設置場所での通し番号または隣接する２つの設備設置場所間に配置された設備の通し番号、ここではケーブルにおける通し番号）を付与して、体系を構成するようになっている。
【００５１】
画面の系統図上で選択または決定された設備設置場所に対して、所望の回線・設備を選択または決定すると、連携プログラム３１によりその設備設置場所と選択または決定された回線・設備がリンクされる。リンクされた回線・設備データには、キーコード更新プログラム３２により設備設置場所の４桁のキーコードが付与されて、キーコード付与のプロセスが完了する。また、画面の系統図上で選択または決定された設備設置場所に対して、連携プログラム３１によりすでにその設備設置場所にリンクされている回線・設備が表示されている場合に、この回線・設備を更新すると、更新された回線・設備データには、キーコード更新プログラム３２により設備設置場所の４桁のキーコードが付与されるとともに、キーコード更新プログラム３２により更新前の回線・設備データから更新前の設備設置場所の４桁のキーコードが消去されて、キーコード付与のプロセスが完了する。
【００５２】
（ＩＩ）次に、設備系データと図面系データとの関連付けについて説明する。画面の系統図上で設備設置場所を選択、登録または更新したりした場合、または、系統図上で２点の設備設置場所間の接続を選択、登録または更新したりした場合、連携プログラム３１により系統図と回線・設備のデータとをリンクさせ、リンクされた回線・設備のデータに、キーコード更新プログラム３２により新たな設備設置場所の４桁のキーコードを付与し、選択、登録または更新前の設備設置場所のキーコードを消去するようになっている。このように、リンクされる系統図と設備系データは互いに設備設置場所の４桁のキーコードに基づいて関連するキーコードを共有するようになる。こうして設備系データと図面系データとの関連付けが行われる。
【００５３】
（ＩＩＩ）系統図と回線・設備情報のリンク時には、これらキーコードの比較対照により関連するキーコードが付与されたもの同士をリンクさせて表示し、系統図書き換え時（更新時）には、書き換え後の新たな設備設置場所の４桁のキーコードを付与し、書き換え前の設備設置場所の４桁のキーコードを消去して更新し、記憶（登録）するようになっている。
【００５４】
例えば、あるケーブルＦＩＢ１では、接続時、自端箇所キーコードをＡＡＡＡ、相手端箇所キーコードをＢＢＢＢ、装置機種コードをＦＩＢ（この場合では３桁）、通し番号を００１としてキーコードが付与される。すなわち、ケーブルＦＩＢ１が表示装置４に表示された系統図上で設備設置場所Ａ−Ｂ間で接続された場合、ケーブルＦＩＢ１には連携プログラム３１とキーコード更新プログラム３２とにより「ＡＡＡＡ・ＢＢＢＢ・ＦＩＢ・００１」というキーコードが付与されるようになっている（図１０の「例）ケーブルコード」および図１２の「（２）ケーブルを登録」参照）。
【００５５】
また、例えば、あるメカニカルクロージャＭＣ１では、自端箇所キーコードを４桁のキーコード（例えば、ＡＡＡＡ）、相手端箇所キーコードを４桁のキーコード（例えば、ＡＡＡＡ、すなわちメカニカルクロージャの場合、相手端箇所は自端箇所と同じで当該メカニカルクロージャの属する設備設置場所そのものを示すことになる。）、装置機種コードをＭＣ（この場合ではＭＣの２桁のキーコードに固定する）、通し番号を００１（３桁の通し番号）というようにキーコードが付与される。すなわち、メカニカルクロージャＭＣ１は、設備設置場所Ａとリンクされると、「ＡＡＡＡ・ＡＡＡＡ・ＭＣ・００１」というキーコードが付与される（図１０の「例）ＭＣコード」および図１２の系統図内の選択されたメカニカルクロージャのうち右側のものを参照）。このように各４桁の大文字のアルファベットの文字（ＡＡＡＡ：自端箇所、ＢＢＢＢ：相手端箇所）は、設備設置場所のキーコードとなっている。ケーブルコードデータは、ケーブルマスターデータファイル１０に格納されたケーブルデータから、メカニカルクロージャコードデータは、メカニカルクロージャマスターデータファイル１４に格納されたメカニカルクロージャデータからそれぞれ読み出される。
【００５６】
設備系データのうち、例えば、心線マスタデータファイル１１の心線データに付与されるキーコードは、図１０に示すように、ケーブルコードに心線番号を加えたものとなる。すなわち、心線のキーコードはケーブルの自端箇所キーコード（ＡＡＡＡ）＋ケーブルの相手端箇所キーコード（ＢＢＢＢ）＋装置機種コード（ＦＩＢ）＋通し番号（００１）＋心線番号（ｎ２）（ｎ２は正の整数で４桁の番号、すなわち、０００１から１０００まで）となって、例えば、「ＡＡＡＡ・ＢＢＢＢ・ＦＩＢ・００１・０００１」で表される。
【００５７】
また、ケーブル接続データファイル１２のケーブル接続データに付与されるキーコードは、図１０に示すように、接続ケーブルのキーコード＋ＭＣのキーコードとなるように付与される。例えば、ケーブル接続のキーコードは、図１２に示すように、ケーブルＦＩＢ１が表示装置４に表示された系統図上で設備設置場所Ａ（自端箇所Ａ）のメカニカルクロージャＭＣ１と設備設置場所Ｂ（相手端箇所Ｂ）のメカニカルクロージャＭＣ１との間で接続された場合、連携プログラム３１とキーコード更新プログラム３２とにより、ＡＡＡＡ・ＢＢＢＢ・ＦＩＢ・００１（接続ケーブルコード）＋ＡＡＡＡ・ＡＡＡＡ・ＭＣ・００１（ＭＣコード）およびＡＡＡＡ・ＢＢＢＢ・ＦＩＢ・００１（接続ケーブルコード）＋ＢＢＢＢ・ＢＢＢＢ・ＭＣ・００１（ＭＣコード）というように、ケーブルのキーコード体系およびメカニカルクロージャのキーコード体系に基づいてキーコードが付与されるようになっている。すなわち、ケーブル接続のキーコードは、図１２に示すように、設置場所ＡＢ２点のメカニカルクロージャ（キーコードがそれぞれＡＡＡＡ・ＡＡＡＡ・ＭＣ・００１およびＢＢＢＢ・ＢＢＢＢ・ＭＣ・００１）間であれば、「ＡＡＡＡ・ＢＢＢＢ・ＦＩＢ・００１＋ＡＡＡＡ・ＡＡＡＡ・ＭＣ・００１」と「ＡＡＡＡ・ＢＢＢＢ・ＦＩＢ・００１＋ＢＢＢＢ・ＢＢＢＢ・ＭＣ・００１」との２つのキーコードを持つことになる。設置場所Ａ、Ｂ、Ｃの３点間のケーブル接続データは、図３３に示すように、４個のキーコード（４つのレコード）を持つことになる。このようにキーコードによりケーブル接続データを管理するようにしている。言い換えるならば、管理しているのは、ケーブルとメカニカルクロージャの接続関係ということになる。
【００５８】
さらに、心線接続データファイル１３の心線接続データに付与されるキーコードは、図１０に示すように、接続ケーブルのキーコード＋接続ケーブルの心線番号＋被接続ケーブルのキーコード＋被接続ケーブルの心線番号となる。つまり、心線接続のキーコードは、例えば、接続ケーブルコード：ＡＡＡＡ・ＢＢＢＢ・ＦＩＢ・００１＋心線番号ｎ２：０００１＋被接続ケーブルコード：ＡＡＡＡ・ＢＢＢＢ・ＦＩＢ・００１＋心線番号ｎ２：０００１（心線番号ｎ２：０００１〜１０００）というように、ケーブルのキーコード体系およびメカニカルクロージャのキーコード体系に基づいてキーコードが付与される（図１４参照）。
【００５９】
このように設備系データと図面系データとの関連付けは、連携プロラム３１により図面系データに設備系データがリンクされた際、キーコード更新プログラム３２により図面系データの設備設置場所が持つ４桁のキーコードを、リンクされた設備系データに付与して関連付けを行うようになっている。
【００６０】
次に、ユーザインターフェースとしての系統図について説明する。データベース管理システム５に格納されたデータベース管理ファイル５Ａには、図２に示すように、系統図が図面系データとして系統図ファイル２０に格納される。系統図は予め決められた２軸の座標系（ＸＹ軸による平面座標系）に基づいて描画される。系統図上の設備設置場所にはそれぞれ、予め箇所キーコード（４桁のコード）と座標情報が付与されている。
【００６１】
系統図は、画面に表示された所定の系統図について、画面上である位置が選択されると、言い換えれば、座標情報（図面位置情報）が入力されると（図１１の「（１）系統図のＸ、Ｙ座標を選択（マウスでダブルクリック）」参照）、図面位置情報ファイル２１に基づいてその位置に対応した設備設置場所の一覧（図示せず）が表示される。設備設置場所の一覧から所望の設備設置場所Ａを選択すると（図１１の「（２）箇所の選択」参照）、設備設置場所Ａが系統図上に描画される。
【００６２】
系統図上の設備設置場所Ａは、予め付与された箇所キーコードＡＡＡＡを有するとともに、系統図上の座標情報（Ｘ，Ｙ）を有している。設備設置場所Ａにおける回線・設備情報の一覧からメカニカルクロージャの一覧を呼出し（図示せず）、例えばあるメカニカルクロージャＭＣ１（通し番号００１）を選択すると、連携プログラム３１およびキーコード更新プログラム３２により、メカニカルクロージャＭＣ１には、キーコード「ＡＡＡＡ・ＡＡＡＡ・ＭＣ・００１」が自動生成されて付けられ、しかも、共有のキーコード「ＡＡＡＡ」に基づいて設備設置場所Ａの座標情報（Ｘ、Ｙ）がリンクされる。そして、図１１に示すように、図面位置情報ファイル２１に図面位置情報として「ＡＡＡＡ・ＡＡＡＡ・ＭＣ・００１＋Ｘ，Ｙ」のキーコードが付与されて格納される。リンクされたメカニカルクロージャＭＣ１は所定の記号で系統図上に表示され（図１１参照）、画面上で選択すると図９のようにメカニカルクロージャのマスターデータも表示されるようになっている。こうして、メカニカルクロージャのデータと系統図のデータとの関連付けが行われるので、系統図を通じてメカニカルクロージャを更新したり管理したりすることができる。
【００６３】
次に、ケーブルの接続データと系統図のデータとの関連付けについて述べる。図１２に示すように、画面に表示された所定の系統図について画面上で２点の設備設置場所Ａ、Ｂが選択されると、言い換えれば、２点の座標情報（図面位置情報）が入力されると、図面位置情報ファイル２１と図面線分情報ファイル２２とに基づいて２設備設置場所Ａ、Ｂ間の回線が表示される。系統図上では、回線の情報（ケーブルコード、色、太さ、形状、座標情報）も描画されるようになっている。このとき、設備設置場所Ａ、Ｂはそれぞれ、予め付与された箇所キーコードと座標情報として「ＡＡＡＡ・Ｘ，Ｙ」、「ＢＢＢＢ・Ｘｂ，Ｙｂ」を有している。
【００６４】
系統図上で設備設置場所Ａ、Ｂ間が接続されると、接続によりケーブルが線分として系統図上に描画される。このケーブルＦＩＢ１は、連携プログラム３１および更新プログラム３２により、上記キーコード体系に基づいて「ＡＡＡＡ・ＢＢＢＢ・ＦＩＢ・００１」（自端箇所キーコード＋相手端箇所キーコード＋機種コード＋設備設置場所Ａ、Ｂ間のケーブルの通し番号）というキーコードが付与され、図面線分情報ファイル２２に図面線分情報として格納される。リンクされたケーブルＦＩＢ１は、図面位置情報ファイル２１と図面線分情報ファイル２２により２点の座標情報（Ｘ，Ｙ）（Ｘｂ，Ｙｂ）に基づいてこれら２点を結ぶ線分として系統図上に表示される（図１２参照）。この線分を画面上で選択すると、図５および図７のようにケーブルのマスターデータやケーブル接続データ、心線マスターデータや心線接続データも表示されるようになっている。こうして、ケーブルの接続データ（心線の接続データ）と系統図のデータとの関連付けが行われる。このように、設備系データと図面系データとの関連付けは、図面系データとリンクされた設備系データに設備設置場所が持つ４桁のキーコードを付与して関連付けを行うようになっており、系統図を通じてケーブルや心線を、またケーブルの接続や心線の接続を更新したり管理したりするようになっている。このため、系統図をユーザインタフェースとして用いることができる。
【００６５】
さらに、系統図上の所望の区間の回線を選択すると、図１３に示すように、その区間の単線結線図（回線構成図）が表示されるようになっている。この単線結線図は、連携プログラム３１によりリンクされた設備系データと図面系データとに基づいて表示されるので、単線結線図から回線・設備情報や設備設置場所の情報を表示させたり、一覧で表示させたりすることができるようになっている。
【００６６】
また、設備系データは、個々のデータごとに日付情報（データの有効期間）を持っている（図３２参照）。本実施の形態に係るケーブルの管理システムは、データベース管理システム５に系統図を図面系データと設備系データとをリンクさせて格納する際、系統図に年月日を付与して格納するとともに、系統図には入力装置３により所望のプランに応じてデータの有効期間（日付情報、年月日）を付与して入力するようにし（図１５参照）、連携プログラム３１は図面系データと設備系データとを年月日にリンクさせるようにしている。このため、将来の年月日や将来の期間を入力することにより、仮想の系統図または回線・設備情報を、データベース管理システム５に記憶させることができるとともに、これら仮想の系統図または回線・設備情報を表示装置４の画面に表示させることができるようになっている（図３２参照）。
【００６７】
また、本実施の形態に係るケーブルの管理システムでは、表示装置４の画面には、図１７ないし図１９に示すように、ケーブル諸元の科目の種別によってケーブルの色を指定して表示する科目別表示と、各種ケーブルのそれぞれの心線数によってケーブルの色を指定して表示する心線数別表示と、ケーブルの使用開始年月日の年度によってケーブルの色を指定して表示する年度別表示と、ケーブルの使用開始年月日の年度について所望の期間ごとにケーブルの色を指定して表示する年度の期間別表示と、共有心線数取得時に表示され、選択された項目の心線を含むケーブルごとに色を指定して表示する共有別表示と、ケーブル諸元の系統名称別によりケーブルの色を指定して表示する系統名称別表示と、すべてのケーブルの色を単色に指定して表示する標準表示と、亘長・心線数表示時に表示され、表示文字の色を指定して表示する亘長・心線数文字色表示との各表示が表示可能になっており、しかも、これら各表示のうち、所望の表示を選択可能にしている。このように構成することにより、系統図がプランに応じて色分けされて表示されるので、作業性が向上する。
【００６８】
さらに、本実施の形態に係るケーブルの管理システムでは、図２０に示すように、系統図上に設備設置場所以外のオブジェクト（例えば、線路、川、道路、高速道路、橋など）を配置することができるようになっている。このため、系統図を視覚上素早く把握することができるので、作業能率が向上する。
【００６９】
次に、本発明に係るケーブルの管理方法を上記実施の形態に係るケーブルの管理システムの作用に基づいて説明する。まず初めに、図２１に示すように、システムを立ち上げ（図２１のステップＳ１参照）、入力装置３により表示装置４の画面を通じて入力可能な状態とし、系統図の表示機能を起動させ、表示装置４の画面をスタンバイさせる（図２１のステップＳ２、図２３参照）。次に、図２４の（ａ）に示すように、「図面を開く」から所望の管理箇所図面（図２６の（ａ）参照）の一覧を開き、その一覧の中から所望の系統図を選択し（図２１のステップＳ３参照）、系統図（幹線加入者系統図）を画面上に表示させる（図２１のステップＳ４、図２６の（ｂ）参照）。この系統図は、入力装置３によりデータベース管理システム５に格納された系統図ファイル２０から読み出される。
【００７０】
表示装置４の画面に表示された系統図は、図１３に示すように、連携プログラム３１により互いにキーコードを通じて関連付けられた設備系データとリンクされる。このため、系統図上の設備設置場所またはケーブルを入力装置３により選択すると、表示装置４の画面に図５ないし図９、図２５に示すようにケーブルやメカニカルクロージャの情報およびケーブルや心線の接続情報が表示可能になっている。また、所望の区間のケーブルを選択すると、図１３に示すように、単線結線図（回線構成図）も表示可能になっている。
【００７１】
さらに、表示装置４の画面に表示された系統図は、照会用基準日および登録用基準日となるそれぞれの年月日のデータとともにデータベース管理システム５に格納される。照会用基準日とは、系統図の内容を表示装置４に表示したり、諸元を照会したりするか、表示された系統図を更新するかした作業日のことをいう。照会用基準日のデフォルトはシステムの日付となる。登録用基準日とは、この作業日から後、当該系統図を実際の管理図面として有効とするマスター登録や顧客回線登録等をする日のことをいう。登録用基準日のデフォルトは、システムの日付に１日プラスした日付となる。本システムでは、連携プログラム３１により系統図と年月日とがリンクされるようになっている。このため、照会用基準日や登録基準の日付に基づいて所望の年月日または期間を指定すると、その年月日または期間に応じた系統図を表示することができるようになっている。
【００７２】
次に、表示装置４の画面に表示された系統図について書き換えを行う場合、すなわち、系統図を更新する場合には、表示された系統図に入力装置３により設備設置場所、メカニカルクロージャ、ケーブル、心線等の回線・設備について更新されるべき情報を（Ｉ）書き加え（加入）、（ＩＩ）削除または（ＩＩＩ）書き直し（変更）て行う。
【００７３】
（Ｉ）新たな情報を書き加える場合、例えば図１１の系統図において設備設置場所Ａ−Ｂ間のケーブル接続を書き加える場合、図２１のステップＳ４で表示された系統図（図１１参照）上において、おおよその位置をマウス（入力装置３）で選択すると、その選択した点が含まれる設備設置場所の一覧が表示される（図示せず）。その一覧の中からメカニカルクロージャを配置する設備設置場所Ａ（例えば、図１４のＪＫ町ＭＨまたはＲＳ町ＭＨ、図９のＨ００１ＭＨ局を参照。図１１中では箇所と表示する。）を選択する。設備設置場所Ａのデータには、予め当該系統図における２軸座標データ（Ｘ，Ｙ）が含まれているので、選択された設備設置場所Ａは、図１１に示すように、系統図上で座標情報（Ｘ，Ｙ）に応じた位置に例えば小円形状の点として表示される。この選択された設備設置場所Ａは、予め例えば「ＡＡＡＡ」というキーコード（箇所キーコード）を有している。
【００７４】
次に、小円形状の点として表示された設備設置場所Ａを選択すると、その設備設置場所Ａに配備されたメカニカルクロージャの一覧が表示される（図示せず）。メカニカルクロージャの一覧には、各メカニカルクロージャの接続情報が表示され、所望のメカニカルクロージャ（例えば機種コード：ＭＣ、通し番号：００１）を選択すると、図２１のステップＳ５で示すように、メカニカルクロージャの配置が完了する。このとき、図１１に示すように、選択されたメカニカルクロージャＭＣ００１は、設備設置場所Ａのキーコード「ＡＡＡＡ」から、選択されたメカニカルクロージャＭＣ００１のキーコードとして「ＡＡＡＡ・ＡＡＡＡ・ＭＣ・００１（自端箇所キーコード＋自端箇所キーコード＋装置機種コード＋通し番号）」が自動生成されて付与される。このキーコードは、図１１に示すように、データベース管理システム５のメカニカルクロージャマスターデータファイル１４に格納される。
【００７５】
また、同時に、図１１に示すように、選択されたメカニカルクロージャＭＣ００１は、設備設置場所Ａのキーコード「ＡＡＡＡ」と設備設置場所Ａの座標データ（Ｘ，Ｙ）とから、選択されたメカニカルクロージャＭＣ００１の系統図上の図面位置データとして「ＡＡＡＡ・ＡＡＡＡ・ＭＣ・００１・Ｘ，Ｙ（自端箇所キーコード＋自端箇所キーコード＋装置機種コード＋通し番号＋位置情報）」のキーコードが自動生成されて付与され、このキーコードは、図１１に示すように、データベース管理システム５の図面位置情報ファイル２１に格納される。こうして、選択されたメカニカルクロージャＭＣ００１は、回線・設備データとしてのキーコードと図面位置データとしてのキーコードが付与されてデータベース管理システム５に格納され系統図上に表示される。
【００７６】
さらに、系統図上に表示されたメカニカルクロージャＭＣ００１は、図９に示すように、画面上で選択すると当該メカニカルクロージャＭＣ００１とケーブルとの接続状態（接続関係）が表示されるようになっている。
【００７７】
次に、図１２に示すように、系統図上で自端箇所の設備設置場所Ａと相手端箇所の設備設置場所Ｂとを選択すると、設備設置場所Ａ−Ｂ間のケーブルの一覧が表示される（図７参照）。このケーブル一覧から所望のケーブルＦＩＢ００１を選択すると、図１２に示すように、選択されたケーブルＦＩＢ００１の配置が完了し（図２１のステップＳ６、ステップＳ７参照）、選択されたケーブルＦＩＢ００１は、自端箇所としての設備設置場所Ａのキーコード「ＡＡＡＡ」と相手端箇所としての設備設置場所Ｂのキーコード「ＢＢＢＢ」とから、選択されたケーブルＦＩＢ００１のキーコードとして「ＡＡＡＡ・ＢＢＢＢ・ＦＩＢ・００１（自端箇所キーコード＋相手端箇所キーコード＋装置機種コード＋通し番号）」が自動生成されて付与される。
【００７８】
なお、図２２は、画面に表示された系統図の線分（ケーブル）からメカニカルクロージャを選択してゆく方法を示したもので、図２２のステップＳ１１からステップＳ１４で示すように、所望の系統図を画面上に表示した後、線分（ケーブル）を選択し（図２２のステップＳ１５参照）、その後、所望の設備設置場所のシンボル（メカニカルクロージャ）を選択してゆく（ステップＳ１６、Ｓ１７参照）手順を示すものである。
【００７９】
このケーブルＦＩＢ００１のキーコードは、図１２に示すように、データベース管理システム５のケーブルマスターデータファイル１０と、図面線分情報ファイル２２と、心線マスターデータファイル１１と、ケーブル接続データファイル１２とに格納される。ケーブルマスターデータファイル１０と図面線分情報ファイル２２と心線マスターデータファイル１１との各ファイルには、ケーブルＦＩＢ００１のキーコードが「ＡＡＡＡ・ＢＢＢＢ・ＦＩＢ・００１」として、また、ケーブル接続データファイル１２には、「ＡＡＡＡ・ＢＢＢＢ・ＦＩＢ・００１＋ＡＡＡＡ・ＡＡＡＡ・ＭＣ・００１」と「ＡＡＡＡ・ＢＢＢＢ・ＦＩＢ・００１＋ＢＢＢＢ・ＢＢＢＢ・ＭＣ・００１」の２つのキーコードが自動生成されて付与される。
【００８０】
こうして、選択されたケーブルＦＩＢ００１は、回線・設備データとしてのキーコードと図面線分データとしてのキーコードが付与されてデータベース管理システム５に格納され系統図上に表示される。このとき、系統図上の回線や設備をマウス３でクリックすると、系統図にキーコードを通じてリンクされた回線や設備の情報、すなわち、装置や回線の一覧や装置や回線の諸元、接続情報等が画面に表示される。
【００８１】
そして、系統図に表示されたケーブルＦＩＢ００１を選択すると、心線の一覧が表示され、同様に、心線の選択、選択された心線の配置の完了（図示せず）が行われ、選択された心線に「自端箇所キーコード＋相手端箇所キーコード＋ケーブルの機種コード＋ケーブルの通し番号＋心線の通し番号」のキーコードが自動生成されて付与され、データベース管理システム５の心線マスターデータファイル１１と心線接続データファイル１３とに格納され、系統図上に表示される。
【００８２】
（ＩＩ）表示装置４の画面に表示された系統図について回線・設備を削除する場合、例えば図１２の系統図においてすでに構成されている設備設置場所Ａ−Ｂ間のケーブル接続を削除する場合、系統図上のケーブルＦＩＢ００１を選択して削除ボタンを押すと、設備設置場所Ａ、Ｂに基づいて付与されていたキーコードと座標情報とが消去され、キーコードと座標情報が消去された回線・設備データが、データベース管理システム５に格納される。キーコードと座標情報が消去された回線・設備データは、図面データとの関連性を失うので、表示装置４の画面に表示された系統図から、ケーブルＦＩＢ００１とこのケーブルＦＩＢ００１と接続関係にある設備設置場所Ａ、Ｂとが消去される。
【００８３】
（ＩＩＩ）表示装置４の画面に表示された系統図について回線・設備を書き直す場合、例えば図１２の系統図においてすでに構成されている設備設置場所Ａ−Ｂ間のケーブル接続を設備設置場所Ａ−Ｆ間に書き換える場合、画面に図１２に示すように系統図を表示し、設備設置場所Ａ−Ｂ間の線分を切り取り、設備設置場所Ａ−Ｆ間に貼り付けると、設備設置場所Ａ、Ｆ間に線分が生成され、設備設置場所Ａ、Ｆ間の線分をクリックするとケーブルの一覧が表示される。ケーブルの一覧から所望のケーブルを、さらに、選択された所望のケーブルからメカニカルクロージャの一覧を表示させ、所望のメカニカルクロージャを選択する手順（図２２のステップＳ１１からステップＳ１７参照）で、心線の接続まで決定して行くと、これら回線・設備データには、設備設置場所Ａ、Ｆのキーコードと座標情報が付与されて関連付けが行われ、キーコードと座標情報が付与された回線・設備データがデータベース管理システム５に格納され、系統図に書き直された設備設置場所Ａ、Ｆ間の線分が表示される。
【００８４】
一方、切り取りまたは削除により設備設置場所Ａ、Ｂ間の線分が系統図から削除されると、設備設置場所Ａ、Ｂに基づいて付与されていたキーコードと座標情報とが消去され、キーコードと座標情報が消去された回線・設備データが、データベース管理システム５に格納される。キーコードと座標情報が消去された回線・設備データは、図面データとの関連性を失うので、表示装置４の画面に表示された系統図から、ケーブルＦＩＢ００１とこのケーブルＦＩＢ００１と接続関係にある設備設置場所Ａ、Ｂとが消去される。
【００８５】
このように、系統図と回線・設備情報のリンク時には、キーコードの比較対照により関連するキーコードが付与されたもの同士をリンクさせて表示し、系統図書き換え時には、書き換え後の新たな設備設置場所の４桁のキーコードを付与し、書き換え前の設備設置場所の４桁のキーコードを消去して更新し、記憶（登録）するようになっている。また、キーコードが合致しなければ系統図作成も設備系データの更新も行うことができないので、図面作成作業を正確に行うことができる。入力と同時に図面が完成されるので、図面の作成時間が短縮される。
【００８６】
本実施の形態に係るケーブルの管理方法では、このようにして系統図をユーザインターフェースとして用い、系統図を書き換えることにより回線・設備データと図面系データとの関連付けや関連付けの解除を行い、関連付けられた回線・設備データと図面系データとをリンクさせて、各種のマスターデータ１０−１４や関連するデータ２１，２２を更新するようにしている。すなわち、ケーブル系統図を入出力のユーザインターフェースとし、系統図を書き換えることにより各種マスタデータおよび関連データを更新することができる。係る構成とすることにより、ケーブルの管理を容易かつ迅速にしかも正確に行うことができる。また、年月日とリンクさせることにより、管理図面について照会と登録とに分けて図面の書き直し作業を行うことができるので、更新作業中の中断や、更新作業途中での設計変更、さらに将来の回線設計も可能となり、仮想の回線設計案も要求に応じていくつも作成することができる。
【００８７】
次に、ケーブルの割入れについて説明する。メインメモリ２Ｂに書き込まれた制御プログラムには、表示装置の画面上に表示されケーブルが表示された系統図面に対し、入力装置により所望の割入れプランに応じてケーブルと割り入れ箇所のメカニカルクロージャとを選択すると、新たに付与されたキーコードに基づき新規のケーブルを画面上に表示して元のケーブルを消去し、元のケーブルの回線・設備情報を新規のケーブルの回線・設備情報に移し替える割入れプログラム３３を備えている。
【００８８】
画面に表示された系統図について、設備設置場所Ａ，Ｂ間で割入れを行う場合、図２８に示すように、まず、割入れを行う系統図４０を表示し、割入れを行う線分（ケーブル）４１を指定する。次に、選択した線分（ケーブル）４１の単線結線図４２を画面の一部に表示する（図２８（ｂ）参照）。次に、系統図４０または単線結線図（回線構成図）４２上から割入れ設備設置場所（割入れ箇所）Ｃを選択する（図２８の線分上のポイントＣ、図２９の系統図上のポイントＣ参照）。
【００８９】
次に、割入れ設備設置場所Ｃをクリックすると、メカニカルクロージャの一覧が表示され（図示せず）、適切なメカニカルクロージャＭＣ００１を選択すると（図３１参照）、図２７に示すように、変更前ケーブル両端の設備設置場所Ａ、Ｂのそれぞれと割入れ設備設置場所Ｃとに基づいて、変更後の設備設置場所Ａ、Ｃ、Ｂ間のケーブルやメカニカルクロージャのデータおよびケーブルや心線の接続データにキーコードが新たに付与され、変更前の設備設置場所Ａ、Ｂ間のケーブルやメカニカルクロージャのデータおよびケーブルや心線の接続データに付与されていたキーコードは削除され、データベース管理システム５に格納される。と同時に、図３０に示すように、割入れ後の系統図４０Ａが表示される。この割入れ後の系統図４０Ａでは、変更後の設備設置場所Ａ−Ｃ間、Ｃ−Ｂ間に線分が実際の接続ケーブルとして表示される。変更前の設備設置場所Ａ、Ｂ間の線分は、作業中または照会中は他の線分と異なる色または種別で表示され、作業または照会が終了し、データベース管理システム５に登録されると、系統図４０Ａから消去されるようになっている。
【００９０】
次に、ケーブルの割入れ方法について、図３４および図３５を参照して説明する。まず初めに、図３４に示すように、システムを立ち上げ（図３４のステップＳ２１参照）、入力装置３により表示装置４の画面を通じて入力可能な状態とし、系統図の表示機能を起動させ、表示装置４の画面をスタンバイさせる（図３４のステップＳ２２参照）。次に、図２４の（ａ）に示すように、「図面を開く」から所望の管理箇所図面（図２６の（ａ）参照）の一覧を開き、その一覧の中から所望の系統図を選択し（図３４のステップＳ２３参照）、系統図（幹線加入者系統図）を画面上に表示させる（図３４のステップＳ２４、図３４の（ａ）参照）。この系統図は、入力装置３によりデータベース管理システム５に格納された系統図ファイル２０から読み出される。
【００９１】
表示装置４の画面に表示された系統図は、図１３に示すように、連携プログラム３１により互いにキーコードを通じて関連付けられた設備系データとリンクされる。このため、系統図上の設備設置場所またはケーブルを入力装置３により選択すると、表示装置４の画面に図５ないし図９、図２５に示すようにケーブルやメカニカルクロージャの情報およびケーブルや心線の接続情報が表示可能になっている。また、所望の区間のケーブルを選択すると、図１３に示すように、単線結線図（回線構成図）も表示可能になっている。
【００９２】
次に、図３４のステップＳ２４で表示された系統図（図３４の（ａ）参照）に対して、メカニカルクロージャの配置を行う（図３４のステップＳ２５参照）。このメカニカルクロージャの配置は以下の手順で行われる。まず、図３４の（ａ）に示す系統図の図面上でＸ，Ｙ座標を選択（マウスでダブルクリック）すると（図３４の「（１）系統図のＸ，Ｙ座標を選択（マウスでダブルクリック）」参照）、図面位置情報ファイル２１に基づいてその位置に対応した設備設置場所（箇所）の一覧（図示せず）が表示される。設備設置場所の一覧から所望の設備設置場所Ａを選択すると（図３４の「（２）箇所の選択」参照）、設備設置場所Ａが系統図上に描画される。このとき、設備設置場所ＡはＡＡＡＡの箇所コードおよび（Ｘ１，Ｙ１）の位置情報を持っている。
【００９３】
次に、設備設置場所Ａにおける回線・設備情報の一覧からメカニカルクロージャの一覧を呼出し（図示せず）、例えばあるメカニカルクロージャＭＣ１（通し番号００１）を選択すると、連携プログラム３１およびキーコード更新プログラム３２により、メカニカルクロージャＭＣ１には、キーコード「ＡＡＡＡ・ＡＡＡＡ・ＭＣ・００１」が自動生成されて付けられ、しかも、共有のキーコード「ＡＡＡＡ」に基づいて設備設置場所Ａの座標情報（Ｘ１、Ｙ１）がリンクされる。そして、図３４に示すように、図面位置情報ファイル２１に図面位置情報として「ＡＡＡＡ・ＡＡＡＡ・ＭＣ・００１＋Ｘ１，Ｙ１」のキーコードが付与されて格納される（図３４の「（３）メカニカルクロージャの登録」参照）。リンクされたメカニカルクロージャＭＣ１は所定の記号で系統図上に表示される（図３４の（ａ）、「（４）系統図上に表示」参照）。
【００９４】
同様にして、設備設置場所Ａとともに割入れを行う設備設置場所Ｂについて、系統図の図面上でＸ，Ｙ座標を選択すると、図面位置情報ファイル２１に基づいてその位置に対応した設備設置場所（箇所）の一覧（図示せず）が表示される。設備設置場所の一覧から所望の設備設置場所Ｂを選択すると（図３４の「（２）箇所の選択」参照）、設備設置場所Ｂが系統図上に描画される。このとき、設備設置場所ＢはＢＢＢＢの箇所コードおよび（Ｘ２，Ｙ２）の位置情報を持っている。
【００９５】
次に、設備設置場所Ｂにおける回線・設備情報の一覧からメカニカルクロージャの一覧を呼出し（図示せず）、例えばあるメカニカルクロージャＭＣ１（通し番号００１）を選択すると、連携プログラム３１およびキーコード更新プログラム３２により、メカニカルクロージャＭＣ１には、キーコード「ＢＢＢＢ・ＢＢＢＢ・ＭＣ・００１」が自動生成されて付けられ、しかも、共有のキーコード「ＢＢＢＢ」に基づいて設備設置場所Ｂの座標情報（Ｘ２、Ｙ２）がリンクされる。そして、図３４に示すように、図面位置情報ファイル２１に図面位置情報として「ＢＢＢＢ・ＢＢＢＢ・ＭＣ・００１＋Ｘ２，Ｙ２」のキーコードが付与されて格納される（図３４の「（３）メカニカルクロージャの登録」参照）。リンクされたメカニカルクロージャＭＣ１は所定の記号で系統図上に表示される（図３４の（ａ）参照）。こうして、図３４の（ａ）に示す系統図には、設備設置場所Ａ、Ｂが表示される（図３４の（ａ）、「（４）系統図上に表示」参照）。
【００９６】
次に、図３４のステップＳ２４で表示された系統図（図３４の（ａ）参照）に対して、ケーブル選択後、割入れの指示を行う（図３５のステップＳ２６参照）。このケーブル選択後の割入れの指示は以下の手順で行われる。まず、図３５の（ｂ）に示すように、割入れプログラム３３に基づいて割入れ画面を表示し、割入れを行う接続ケーブルＦＩＢ０ＸＹを選択する（図３５の（ｂ）「（１）割入れを行うケーブルを選択する。」参照）。次に、この選択された接続ケーブルＦＩＢ０ＸＹについて割入れを指示する（図３５の（ｂ）「（２）割入れ指示」参照）。割入れを指示すると、図３５の（ｂ）の割入れ画面Ｐ１上に接続ケーブルＦＩＢ０ＸＹとその設備設置場所Ｘ、Ｙが表示される。
【００９７】
次に、表示された割入れ画面Ｐ１（図３５の（ｂ））に対し、割入れるメカニカルクロージャを選択後、割入れを実施する（図３５のステップＳ２７参照）。このメカニカルクロージャ選択後の割入れの実施は以下の手順で行われる。まず、割入れるメカニカルクロージャをクリックする。画面上では設備設置場所Ａ、Ｂを順に指定する（図３５の（ｃ）「（１）割入れるＭＣをクリックする。（ＡＡＡＡ，ＢＢＢＢを順に指定する。）」参照）。すると、クリックした順に割入れ画面Ｐ２に割入れるメカニカルクロージャが表示される（画面Ｐ２のＡＡＡＡ，ＢＢＢＢを参照）（図３５の（ｃ）「（２）クリックした順に、割入れ画面にクロージャが表示される。」参照）。
【００９８】
表示されたメカニカルクロージャを確認すると、次に、割入れを実施する（図３５の（ｃ）「（３）割入れ実施」参照）。割入れの実施が行われると、接続ケーブルのキーコードは、割入れが指示されたメカニカルクロージャから自動生成される。すなわち、新たな接続ケーブルのキーコードは、ＸＸＸＸ・ＡＡＡＡ・ＦＩＢ・００１、ＡＡＡＡ・ＢＢＢＢ・ＦＩＢ・００１、ＢＢＢＢ・ＹＹＹＹ・ＦＩＢ・００１が生成されるとともに、元の接続ケーブルのキーコードＸＸＸＸ・ＹＹＹＹ・ＦＩＢ・００１は廃止（消去）される（図３５の（ｃ）の割入れ画面Ｐ２参照）。ケーブル接続データファイル１２により管理されるケーブル接続データは、図３５の（ｃ）に示すように、ＸＸＸＸ・ＡＡＡＡ・ＦＩＢ・００１＋ＸＸＸＸ・ＸＸＸＸ・ＭＣ・００１、ＸＸＸＸ・ＡＡＡＡ・ＦＩＢ・００１＋ＡＡＡＡ・ＡＡＡＡ・ＭＣ・００１、ＡＡＡＡ・ＢＢＢＢ・ＦＩＢ・００１＋ＡＡＡＡ・ＡＡＡＡ・ＭＣ・００１、ＡＡＡＡ・ＢＢＢＢ・ＦＩＢ・００１＋ＢＢＢＢ・ＢＢＢＢ・ＭＣ・００１、ＢＢＢＢ・ＹＹＹＹ・ＦＩＢ・００１＋ＢＢＢＢ・ＢＢＢＢ・ＭＣ・００１、ＢＢＢＢ・ＹＹＹＹ・ＦＩＢ・００１＋ＹＹＹＹ・ＹＹＹＹ・ＭＣ・００１の６つのレコードとなり、元の接続ケーブルＸ−Ｙ間の接続データ、すなわち、ＸＸＸＸ・ＹＹＹＹ・ＦＩＢ・００１＋ＸＸＸＸ・ＸＸＸＸ・ＭＣ・００１とＸＸＸＸ・ＹＹＹＹ・ＦＩＢ・００１＋ＹＹＹＹ・ＹＹＹＹ・ＭＣ・００１のキーコードは廃止（消去）される。こうして、割入れ時についてもケーブルとメカニカルクロージャの接続関係を管理するようにしている。割入れの実施が完了すると、次に、図面の再描画が行われ（図３５のステップＳ２８、図３５の（ｄ）参照）、処理が終了する（図３５のステップＳ２９参照）。
【００９９】
このように、割入れ時には、新たに付与されたキーコードに基づき新規のケーブルを画面上に表示して元のケーブルを消去し、元のケーブルの回線・設備情報を新規のケーブルの回線・設備情報に自動的に移し替えるようにしているので、割入れ作業を容易に行うことができる。
【発明の効果】
【０１００】
【発明の効果】
本発明に係るケーブルの管理システムは、予めケーブルを含む回線・設備情報がデータ化された設備系データを格納したデータベースと、この回線・設備情報と関連付けられた系統図を図面系データとして更新可能に格納した記憶手段と、これらデータベースと記憶手段とに格納されたデータに基づいて画面上に回線・設備情報と系統図とのうち少なくともいずれか一方を表示する表示装置と、表示装置の画面上に、記憶手段から所望の系統図または回線・設備情報を呼び出して表示させ、表示された系統図を書き換え可能な入力装置とを備えるとともに、入力装置からの指令に基づき、メインメモリに格納された制御プログラムによりデータベースと記憶手段とにそれぞれ格納され互いに関連付けられた設備系データと図面系データとをリンクさせ、リンクされた系統図または回線・設備情報のうち少なくともいずれか一方を表示装置の画面に表示させる連携手段と、入力装置による系統図の書き換え時、書き換えられた系統図に基づいてこの図面系データと設備系データとの関連付けと関連付けの解除とを行う更新手段とを有し、書き換えによりこの系統図にリンクされ新たに関連付けされた設備系データと、書き換えによりこの系統図との関連付けが解除された設備系データと、書き換えられた系統図の図面系データとを記憶手段に記憶させる中央演算処理装置とを備え、表示装置に表示された系統図をユーザインターフェースとして用いるとともに、更新手段は、入力装置による系統図の書き換え時、書き換えられた系統図に基づいて、系統図に新たに加入された図面系データと設備系データとに予め決められたキーコード体系に基づき互いに関連付けられたキーコードを付与するとともに、書き換え前の系統図から削除された図面系データとこの図面系データとリンクされ関連付けられた設備系データとに付与されていたキーコードを消去し、連携手段は、表示装置の画面上で入力装置により回線・設備情報が呼び出されると、呼び出された回線・設備情報の設備系データに付与されているキーコードを図面系データに付与されているキーコードと比較対照し、その設備系データに対応する図面系データとリンクさせ、入力装置により系統図が呼び出されると、呼び出された系統図の図面系データに付与されているキーコードを設備系データに付与されているキーコードと比較対照し、その図面系データに対応する設備系データとリンクさせ、これらそれぞれ互いにリンクされた設備系データの回線・設備情報または図面系データの系統図を表示装置の画面上に関連付けて表示可能にしたので、設備系データと図面系データとがそれぞれ別々に管理されていても、系統図を書き換え設備の追加、変更及び削除を行う際、関連する回線・設備情報が画面に表示可能となる。このため照会作業が容易になる。また、書き換え作業は画面上に表示される回線・設備情報に基づいて行われる。このため書き換え作業が効率化される。さらに、表示された系統図は、図面系データの登録そのものが設備系データの登録となるので、誤った関連付けが発生することがなく、エラーの発生が抑制される。また、系統図と回線・設備情報とは常に関連付けされたもの同士がリンクされるので、画面に呼び出した回線・設備情報から関連する系統図を表示させることができる。このように画面に表示された系統図をユーザーインターフェースとして用いることができるので作図作業が容易になり、ケーブルの管理が効率化される。さらに、所定のキーコード体系に基づいて設備系データと図面系データとにキーコードを付与し、このキーコードに基づいて関連付けが行われるので、設備系データと図面系データとの関連付けを簡素な構成で行うことができ、リンク作業が簡素化され、迅速にリンクが行われる。このため処理速度の迅速化と作業の効率化が図られる。しかも、表示された系統図の書き換え時、書き換え前に付与されていたキーコードが消去され、書き換え後関連付けられることになる各データに新たなキーコードが自動的に付与されるので、系統図面は書き換えを繰り返しても、回線・設備情報と確実に関連付けされる。このため系統図を回線・設備情報とリンクさせて表示するのが迅速化され、照会作業や書き換え作業が効率化される。
【０１０２】
さらに、請求項２に係るケーブルの管理システムは、表示装置の画面上に表示された系統図に対し、入力装置により系統図上に表示された所望のケーブルに相当する線分または設備設置場所に相当する記号を選択すると、付与されたキーコードに基づいて選択された当該ケーブルまたは設備設置場所の回線・設備情報を同一画面上に表示するようにしたので、系統図の照会時または書き換え時、同一画面に系統図上の所望の設備の回線・設備情報が表示される。このため画面により設備系データの詳細を確認しながら作業することができるので、作業者の熟練度に関係なく、きめ細かくかつ正確にケーブルを管理することができる。
【０１０３】
請求項３に係るケーブルの管理システムは、記憶手段に図面系データと設備系データとをリンクさせて格納する際、図面系データと設備系データとに所望のプランに応じて有効期間を決定する日付情報を付与して格納し、入力装置により所望の年月日を入力可能とするとともに、連携手段は図面系データと設備系データとを年月日とリンクさせるようにしたので、入力装置により入力された年月日に基づいて、将来の所望の年月日または期間を指定して仮想の系統図を作成することができる。
【０１０４】
請求項４に係るケーブルの管理システムは、キーコード体系は、ケーブルの接続関係と属性とに基づいて体系的にキーコードが付与されたケーブルのキーコード体系と、メカニカルクロージャの接続関係と属性とに基づいて体系的にキーコードが付与されたメカニカルクロージャのキーコード体系とを有して構成されるようにしたので、設備系の属性と接続関係に基づいたキーコード体系を構築することができるので、このキーコード体系では、論理上合理的な必要条件を満たす最小限のキーコードを付与するだけでよく、設備系データと図面系データに付与されるキーコードの桁数を少なくすることができ、格納すべきデータの容量を少なくすることができる。
【０１０５】
請求項５に係るケーブルの管理システムは、設備系データには、少なくともケーブルの詳細情報を含むケーブルマスタデータと、１心線毎の使用情報を含む心線マスタデータと、ケーブル間の接続関係の情報を含むケーブル接続データと、ケーブル内の１心線毎の接続関係の情報を含む心線接続データと、メカニカルクロージャの詳細情報を含むメカニカルクロージャマスタデータとが含まれるようにしたので、表示された系統図は多種の詳細な情報とリンクされることになり、きめ細かく管理が可能となる。
【０１０６】
請求項６に係るケーブルの管理システムは、ケーブルのキーコード体系は、自端箇所キーコードと相手端箇所キーコードと装置機種キーコードと通し番号とが含まれるとともに、メカニカルクロージャのキーコード体系は、自端箇所キーコードと装置機種キーコードと通し番号とが含まれるようにしたので、ケーブルとメカニカルクロージャとの接続関係と機種とＩＤコードとしての通し番号とによりキーコードが構成されるので、回線、設備および装置の把握が容易になる。
【０１０７】
請求項７に係るケーブルの管理システムは、図面系データは、予め決められた２軸の座標系に基づいて表示装置の画面に描画される系統図からなり、この系統図は、設備設置場所を所定の記号で設備設置場所に応じた座標情報に基づいて描画する図面位置情報と、設備設置場所間の回線を図面中の線分として上記図面位置情報の座標情報に基づいて描画する図面線分情報とにより構成されるようにしたので、系統図および系統図上の設備設置場所の位置の各情報を、グラフィックデータとしてではなく、座標を特定する数値データとして処理するようにしているので、格納すべきデータの容量を少なくすることができ、装置の小型化やシステムの簡素化が図られるとともに、処理速度が迅速化し作業効率が向上する。
【０１０８】
請求項８に係るケーブルの管理システムは、図面系データは、表示装置の画面に単線結線図として描画される単線結線図情報を含むようにしたので、作業時、系統図が表示されている場合、その系統図中のケーブルまたは設備設置場所を選択すると、それに対応する単線結線図を同一画面上に表示することができ、単線結線図が表示されている場合、その単線結線図中のケーブルまたは設備設置場所を選択すると、それに対応する系統図を同一画面上に表示することができる。このため系統図を参照して単線結線図を作成したり、単線結線図から系統図を呼出し作業させることができるので、ユーザーインターフェースとしての使い勝手が向上し作業の効率化が図られる。
【０１０９】
請求項９に係るケーブルの管理システムは、表示装置の画面上に表示された系統図面に対し、入力装置により所望の割入れプランに応じてケーブルと割り入れ箇所のメカニカルクロージャとを選択すると、キーコード体系により新たに付与されたキーコードに基づき新規のケーブルを画面上に表示して元のケーブルを消去し、元のケーブルの回線・設備情報を新規のケーブルの回線・設備情報に移し替える割入れ手段を有するようにしたので、割入れ時、系統図面上で、元のケーブルの回線・設備情報が新規のケーブルの回線・設備情報に自動的に移し替えられるので、割入れ作業を容易に行うことができる。
【０１１０】
請求項１０に係るケーブルの管理システムは、表示装置の画面には、ケーブル諸元の科目の種別によってケーブルの色を指定して表示する科目別表示と、各種ケーブルのそれぞれの心線数によってケーブルの色を指定して表示する心線数別表示と、ケーブルの使用開始年月日の年度によってケーブルの色を指定して表示する年度別表示と、ケーブルの使用開始年月日の年度について所望の期間ごとにケーブルの色を指定して表示する年度の期間別表示と、共有心線数取得時に表示され、選択された項目の心線を含むケーブルごとに色を指定して表示する共有別表示と、ケーブル諸元の系統名称別によりケーブルの色を指定して表示する系統名称別表示と、すべてのケーブルの色を単色に指定して表示する標準表示と、亘長・心線数表示時に表示され、表示文字の色を指定して表示する亘長・心線数文字色表示との各表示のうち、所望の表示を選択可能にしたので、作業時、表示装置の画面には、ケーブルの科目別、心線数別、年度別、年度の期間別、共有別、系統名称別および亘長・心線数文字色の表示についてそれぞれ異なる色を指定して表示することができるとともに、標準表示では、すべてのケーブルの色を単色に指定して表示することができるので、作業しやすくなる。
【０１１１】
本発明に係るケーブルの管理方法は、予めケーブルを含む回線・設備情報がデータ化された設備系データを格納したデータベースと、この回線・設備情報と関連付けられた系統図を図面系データとして更新可能に格納した記憶手段と、これらデータベースと記憶手段とに格納されたデータに基づいて画面上に回線・設備情報と系統図とのうち少なくともいずれか一方を表示する表示装置と、表示装置の画面上に、記憶手段から所望の系統図または回線・設備情報を呼び出して表示させ、表示された系統図を書き換え可能な入力装置とを備えるとともに、入力装置からの指令に基づき、メインメモリに格納された制御プログラムによりデータベースと記憶手段とにそれぞれ格納され互いに関連付けられた設備系データと図面系データとをリンクさせ、リンクされた系統図または回線・設備情報のうち少なくともいずれか一方を表示装置の画面に表示させる連携手段と、入力装置による系統図の書き換え時、書き換えられた系統図に基づいてこの系統図と回線・設備情報との関連付けと関連付けの解除とを行う更新手段とを有し、書き換えによりこの系統図にリンクされ新たに関連付けされた設備系データと、書き換えによりこの系統図との関連付けが解除された設備系データと、書き換えられた系統図の図面系データとを記憶手段に記憶させる中央演算処理装置とを備え、系統図の照会時、表示装置に系統図を関連する回線・設備情報とリンクさせて表示させ、系統図の書き換え時、互いに関連性のない図面系データと設備系データとを互いに関連付けし、互いに関連付けられていた図面データと設備系データとの関連を書き換えられた系統図に基づいて解除させ、互いに関連付けされた図面系データと設備系データとをリンクさせ、リンクされた系統図または回線・設備情報のうち少なくともいずれか一方を表示装置の画面に表示させた後、互いに関連付けされた図面系データと設備系データと、関連付けが解除された図面系データと設備系データとを記憶手段に記憶させ、表示装置に表示された系統図をユーザインターフェースとして用いるとともに、更新手段により、入力装置による系統図の書き換え時、書き換えられた系統図に基づいて、系統図に新たに加入された図面系データと設備系データとに予め決められたキーコード体系に基づき互いに関連付けられたキーコードを付与するとともに、書き換え前の系統図から削除された図面系データとこの図面系データとリンクされ関連付けられていた設備系データとに付与されていたキーコードを消去し、連携手段により、表示装置の画面上で入力装置により回線・設備情報が呼び出されると、呼び出された回線・設備情報の設備系データに付与されているキーコードを図面系データに付与されているキーコードと比較対照し、その設備系データに対応する図面系データとリンクさせ、入力装置により系統図が呼び出されると、呼び出された系統図の図面系データに付与されているキーコードを設備系データに付与されているキーコードと比較対照し、その図面系データに対応する設備系データとリンクさせ、これらそれぞれ互いにリンクされた設備系データの回線・設備情報または図面系データの系統図を表示装置の画面上に関連付けて表示可能にし、系統図の照会時、連携手段により系統図の図面系データに付与されているキーコードを設備系データに付与されているキーコードと比較対照し、その図面系データに対応する設備系データとリンクさせて表示装置の画面に系統図を表示し、系統図の書き換え時、系統図に新たに加入され互いにキーコードの付与されていない図面系データと設備系データとにキーコード体系に基づいて互いに関連するキーコードを付与し、書き換え前の系統図から削除され互いに関連するキーコードが付与されていた図面データと設備系データとからそれぞれのキーコードを消去し、互いに関連するキーコードが付与された図面系データと設備系データとをリンクさせ、リンクされた系統図または回線・設備情報のうち少なくともいずれか一方を表示装置の画面に表示させ、表示後、互いに関連する図面系データと設備系データとを付与されたキーコードとともに記憶装置に記憶させ、関連付けが解除された図面系データと設備系データとを付与されていたキーコードを削除して記憶手段に記憶させるようにしたしたので、設備系データと図面系データとがそれぞれ別々に管理されていても、系統図を照会する際、系統図を表示すると関連する回線・設備情報が画面に表示可能となる。このため照会作業が容易になる。また、系統図を書き換え設備の追加、変更及び削除を行う際、関連する回線・設備情報を画面に表示させ、表示された回線・設備情報に基づいてて作業を行うことができる。このため書き換え作業が効率化される。さらに、表示された系統図は、図面系データの登録そのものが設備系データの登録となるので、誤った関連付けが発生することがなく、エラーの発生が抑制される。また、系統図と回線・設備情報とは常に関連付けされたもの同士がリンクされるので、画面に呼び出した回線・設備情報から関連する系統図を表示させることができる。このように画面に表示された系統図をユーザーインターフェースとして用いることができるので作図作業が容易になり、ケーブルの管理が効率化される。さらに、系統図の照会時、キーコード体系に基づいて予め付与されたキーコードに基づいて関連付けが行われるので、設備系データと図面系データとの関連付けが簡素になり、迅速にリンクが行われる。このため処理速度の迅速化と作業の効率化が図られる。また、系統図の書き換え時、書き換え前に付与されていたキーコードが消去され、書き換え後関連付けられることになる各データに新たなキーコードが自動的に付与されるので、系統図面は書き換えを繰り返しても、回線・設備情報と確実に関連付けされる。このため系統図を回線・設備情報とリンクさせて表示するのが迅速化され、照会作業や書き換え作業が効率化される。
【０１１３】
請求項１２に係るケーブルの管理方法は、系統図の照会時、表示された系統図に対し、入力装置により系統図上に表示された所望のケーブルまたは設備設置場所を選択すると、付与されたキーコードに基づいて選択された当該ケーブルまたは設備設置場所の回線・設備情報を同一画面上に表示するようにしたので、系統図の照会時または書き換え時、同一画面に系統図上の所望の設備の回線・設備情報を表示させることができる。このため画面により設備系データの詳細を確認しながら作業することができるので、作業者の熟練度に関係なく、きめ細かくかつ正確にケーブルを管理することができる。
【０１１４】
請求項１３に係るケーブルの管理方法は、記憶手段に図面系データと設備系データとをリンクさせて格納する際、図面系データと設備系データとに所望のプランに応じて有効期間を決定する日付情報を付与して格納し、入力装置により所望の年月日を入力した際、連携手段により図面系データと設備系データとを年月日とリンクさせ、所望の年月日に応じた系統図を表示させるようにしたので、入力装置により将来の年月日を指定すると、その年月日に対応した回線構成図を表示させることができるので、仮想の回線構成図を作成することができる。
【０１１５】
請求項１４に係るケーブルの管理方法は、図面系データには、表示装置の画面にそれぞれ系統図として描画される系統図データと、単線結線図として描画される単線結線図データとが収容され、系統図または単線結線図のうちいずれか一方が表示装置の画面上に表示された際、表示された図上の所望のケーブルまたは設備設置場所を入力装置により選択すると、選択されたケーブルまたは設備設置場所に対応する他方の図を同一画面上に表示可能にするようにしたので、系統図が画面上に表示されている場合、この系統図中のケーブルまたは設備設置場所を選択すると、それに対応する単線結線図を同一画面上に表示することができ、単線結線図が画面上に表示されている場合、この単線結線図中のケーブルまたは設備設置場所を選択すると、それに対応する系統図を同一画面上に表示することができる。このため系統図を参照して単線結線図を作成したり、単線結線図から系統図を呼出し作業させることができるので、ユーザーインターフェースとしての使い勝手が向上し作業の効率化が図られる。
【０１１６】
請求項１５に係るケーブルの管理方法は、表示装置の画面上に表示されケーブルが表示された系統図に対し割入れを行う際、割入れ手段により入力装置により所望の割入れプランに応じてケーブルと割り入れ箇所のメカニカルクロージャとを選択すると、新たに付与されたキーコードに基づき新規のケーブルを画面上に表示して元のケーブルを消去し、元のケーブルの回線・設備情報を新規のケーブルの回線・設備情報に移し替えるようにしたことにより、割入れ時、系統図面上で、元のケーブルの回線・設備情報が新規のケーブルの回線・設備情報に自動的に移し替えられるので、割入れ作業を容易に行うことができる。
【図面の簡単な説明】
【図１】本発明の一実施の形態に係るケーブルの管理システムを示すシステム構成図である。
【図２】図１のケーブルの管理システムにおける処理の概念図である。
【図３】図１のケーブルの管理システムの要部の概念図である。
【図４】図１のケーブルの管理システムにおける設備設置場所、ケーブルおよびメカニカルクロージャの設置状態を概念的に表す設備側の概念図である。
【図５】表示装置の画面に表示されるケーブルマスターデータの一部（ケーブル諸元情報）を示す説明図である。
【図６】表示装置の画面に表示される心線マスターデータの一部（心線マスタ管理／訂正情報）を示す説明図である。
【図７】表示装置の画面に表示されるケーブル接続データの一部（ケーブル選択情報）を示す説明図である。
【図８】表示装置の画面に表示される心線接続データの一部（ケーブル心線内訳情報）を示す説明図である。
【図９】表示装置の画面に表示されるメカニカルクロージャマスターデータの一部（Ｍ／Ｃ管理情報）を示す説明図である。
【図１０】図１のケーブルの管理システムのキーコード体系の概念とこのキーコード体系に基づいてキーコードが付与される設備系データの関連とを示す説明図である。
【図１１】設備設置場所更新時の系統図とその手順およびキーコード体系により付与されるキーコードの例を示す説明図である。
【図１２】ケーブル更新時の系統図とその手順およびキーコード体系により付与されるキーコードの例を示す説明図である。
【図１３】図１のケーブルの管理システムにおけるケーブル心線管理機能の概要を示す説明図である。
【図１４】系統図とケーブルとメカニカルクロージャとの関係と、データベース管理システムに格納される各データと、キーコードとの関連を概念的に示す説明図である。
【図１５】登録の基準となる登録基準日を設定する画面を示す説明図である。
【図１６】照会用系統図に登録の基準となる登録基準日を設定する画面を示す説明図である。
【図１７】ケーブルの各種情報の内容とケーブルの線種変更の設定画面とを示す説明図である。
【図１８】ケーブルの線種変更の設定画面で科目一覧を表示した状態を示す説明図である。
【図１９】ケーブルの線種変更の設定画面で科目一覧から科目を選択した状態を示す説明図である。
【図２０】系統図上に設備設置場所以外のオブジェクトを配置する画面を示す説明図である。
【図２１】システムの起動から系統図を選択して表示させ、メカニカルクロージャの配置、ケーブルの配置の順で系統図を書き換える手順を示すフローチャートである。
【図２２】システムの起動から系統図を選択して表示させ、線分、シンボルの順で系統図を書き換える手順を示すフローチャートである。
【図２３】系統図の表示機能を起動させ、表示装置の画面をスタンバイさせた状態を示す説明図である。
【図２４】（ａ）ないし（ｅ）はそれぞれ、系統図に書き換えられる情報を入力する際のコマンドの例を示す説明図である。
【図２５】（ａ）および（ｂ）はそれぞれ、系統図に書き換えられる情報を入力する際のコマンドの例を示す説明図である。
【図２６】（ａ）は管理箇所図面の一覧を、（ｂ）はその一覧の中から選択された系統図をそれぞれ示す説明図である。
【図２７】割入れ時の系統図とその手順およびキーコード体系により付与されるキーコードの例を示す説明図である。
【図２８】（ａ）、（ｂ）はそれぞれ、割入れ時、割入れ前の系統図の状態と、割入れるケーブルを選択し画面に単線結線図を表示させた状態を示す説明図である。
【図２９】（ａ）、（ｂ）はそれぞれ、割入れ時、割入れる設備設置場所を選択した系統図の状態と、割入れる設備設置場所のメカニカルクロージャを選択し画面の単線結線図に表示させた状態を示す説明図である。
【図３０】（ａ）、（ｂ）はそれぞれ、割入れ時、割入れ登録前の画面の状態と割入れ登録後の画面の状態を示す説明図である。
【図３１】割入れ時の単線結線図を示す説明図である。
【図３２】データの有効期間（日付情報、年月日）を付与して入力された設備系データの例を示す説明図である。
【図３３】設備設置場所Ａ、Ｂ、Ｃの３点間のケーブル接続データのキーコードを示す説明図である。
【図３４】割入れ時の系統図とその手順およびキーコード体系により付与されるキーコードの例を示す説明図である。
【図３５】割入れ時の系統図とその手順およびキーコード体系により付与されるキーコードの例を示す説明図である。
【符号の説明】
２Ａ  ＣＰＵ（中央演算処理装置）
２Ｂ  メインメモリ
３    入力装置
４    表示装置
６    データベース
７    サーバー（記憶手段）
１０〜１４  設備系データ
２１、２２  図面系データ
３１  連携プログラム（連携手段）
３２  更新プログラム（更新手段）
【図１】
0003736467.tif 000002
【図２】
0003736467.tif 000003
【図３】
0003736467.tif 000004
【図４】
0003736467.tif 000005
【図５】
0003736467.tif 000006
【図６】
0003736467.tif 000007
【図７】
0003736467.tif 000008
【図８】
0003736467.tif 000009
【図９】
0003736467.tif 000010
【図１０】
0003736467.tif 000011
【図１１】
0003736467.tif 000012
【図１２】
0003736467.tif 000013
【図１３】
0003736467.tif 000014
【図１４】
0003736467.tif 000015
【図１５】
0003736467.tif 000016
【図１６】
0003736467.tif 000017
【図１７】
0003736467.tif 000018
【図１８】
0003736467.tif 000019
【図１９】
0003736467.tif 000020
【図２０】
0003736467.tif 000021
【図２１】
0003736467.tif 000022
【図２２】
0003736467.tif 000023
【図２３】
0003736467.tif 000024
【図２４】
0003736467.tif 000025
【図２５】
0003736467.tif 000026
【図２６】
0003736467.tif 000027
【図２７】
0003736467.tif 000028
【図２８】
0003736467.tif 000029
【図２９】
0003736467.tif 000030
【図３０】
0003736467.tif 000031
【図３１】
0003736467.tif 000032
【図３２】
0003736467.tif 000033
【図３３】
0003736467.tif 000034
【図３４】
0003736467.tif 000035
【図３５】
0003736467.tif 000036